(57)【要約】  本発明の複数の実施形態は、データ伝送方法、伝送デバイス、及び受信デバイスを提供する。当該方法は、伝送デバイスにより、メディアアクセス制御層サービスデータユニットＭＡＣ  ＳＤＵの送信方式をそのＭＡＣ  ＳＤＵの論理チャンネル種類に従って設定する段階と、伝送デバイスにより、ＭＡＣ  ＳＤＵから取得されたメディアアクセス制御層プロトコルデータユニットＭＡＣ  ＰＤＵをその送信方式に従って送信する段階とを備える。複数の伝送デバイスが、受信デバイスに、複数のＭＡＣ  ＰＤＵを同時に送信する場合、受信デバイスは、複数の異なる伝送デバイスに対応する複数のキャッシュエンティティに、複数の伝送デバイスにより送信された複数のＭＡＣ  ＰＤＵをキャッシュし、複数のＭＡＣ  ＰＤＵを処理する。この処理において、受信デバイスは、複数の伝送デバイスにより送信された複数のＭＡＣ  ＳＤＵを同時に処理することができ、従って、Ｄ２Ｄ通信におけるデータ伝送信頼度を向上させることができる。
2017515382.tif 000002
【特許請求の範囲】
【請求項１】
データ伝送方法であって、
伝送デバイスにより、メディアアクセス制御層サービスデータユニットＭＡＣ  ＳＤＵの送信方式を前記ＭＡＣ  ＳＤＵの論理チャンネル種類に従って設定する段階と、
前記伝送デバイスにより、前記送信方式に従って、前記ＭＡＣ  ＳＤＵから取得されたメディアアクセス制御層プロトコルデータユニットＭＡＣ  ＰＤＵを送信する段階と
を備える
方法。
【請求項２】
伝送デバイスにより、ＭＡＣ  ＳＤＵの送信方式を前記ＭＡＣ  ＳＤＵの論理チャンネル種類に従って設定する前記段階は、前記ＭＡＣ  ＳＤＵの前記論理チャンネル種類がブロードキャスト型である場合、前記ＭＡＣ  ＳＤＵの前記送信方式をブロードキャスト送信方式に設定するように、前記ＭＡＣ  ＰＤＵのパケットヘッダに、ブロードキャスト・モード・インディケータ・ビットを追加する段階を含む、請求項１に記載の方法。
【請求項３】
伝送デバイスにより、ＭＡＣ  ＳＤＵの送信方式を前記ＭＡＣ  ＳＤＵの論理チャンネル種類に従って設定する前記段階は、前記ＭＡＣ  ＳＤＵの前記論理チャンネル種類がユニキャスト型である場合、前記ＭＡＣ  ＳＤＵの前記送信方式をユニキャスト送信方式に設定するように、前記ＭＡＣ  ＰＤＵのパケットヘッダに、ユニキャスト・モード・インディケータ・ビットと、前記伝送デバイスの識別子と、ユニキャスト宛先アドレスとを追加する段階を含む、請求項１に記載の方法。
【請求項４】
伝送デバイスにより、ＭＡＣ  ＳＤＵの送信方式を前記ＭＡＣ  ＳＤＵの論理チャンネル種類に従って設定する前記段階は、前記ＭＡＣ  ＳＤＵの前記論理チャンネル種類がマルチキャスト型である場合、前記ＭＡＣ  ＳＤＵの前記送信方式をマルチキャスト送信方式に設定するように、前記ＭＡＣ  ＰＤＵのパケットヘッダに、マルチキャスト・モード・インディケータ・ビットと、前記伝送デバイスの識別子と、マルチキャスト宛先アドレスとを追加する段階を含む、請求項１に記載の方法。
【請求項５】
前記ＭＡＣ  ＳＤＵが、前記伝送デバイスの無線リンク制御層プロトコルデータユニットＲＬＣ  ＰＤＵをセグメント化することによって取得された場合、前記方法は、前記伝送デバイスにより、前記ＭＡＣ  ＰＤＵの前記パケットヘッダに、セグメンテーションビット、シリアルナンバービット、又はコンカチネーションビットを追加する段階をさらに備え、
前記セグメンテーションビットは、前記ＭＡＣ  ＳＤＵが前記ＲＬＣ  ＰＤＵをセグメント化することによって取得されたことを示し、前記シリアルナンバービットは、前記ＲＬＣ  ＰＤＵにおける前記ＭＡＣ  ＳＤＵの位置を示し、前記コンカチネーションビットは、前記ＭＡＣ  ＳＤＵの後に別のＭＡＣ  ＳＤＵがまだ存在しているか否かを示す、
請求項１から４の何れか一項に記載の方法。
【請求項６】
前記ＭＡＣ  ＰＤＵの前記パケットヘッダは、論理チャンネル識別子をさらに保持する、請求項１から５の何れか一項に記載の方法。
【請求項７】
データ伝送方法であって、
受信デバイスにより、伝送デバイスにより送信されたメディアアクセス制御層プロトコルデータユニットＭＡＣ  ＰＤＵを受信する段階であって、前記ＭＡＣ  ＰＤＵは、前記伝送デバイスによりメディアアクセス制御層サービスデータユニットＭＡＣ  ＳＤＵの論理チャンネル種類に従って設定された送信方式で送信される、段階と、
前記受信デバイスにより、前記伝送デバイスに対応するキャッシュエンティティに、前記ＭＡＣ  ＰＤＵを送信する段階と、
前記受信デバイスにより、無線リンク制御ＲＬＣ層に、前記キャッシュエンティティにおける前記ＭＡＣ  ＰＤＵに含まれる前記ＭＡＣ  ＳＤＵを送信する段階と
を備える
方法。
【請求項８】
受信デバイスにより、伝送デバイスにより送信されたＭＡＣ  ＰＤＵを受信する前記段階は、前記受信デバイスにより、ブロードキャスト送信方式で前記伝送デバイスにより送信された前記ＭＡＣ  ＰＤＵを受信する段階を含む、請求項７に記載の方法。
【請求項９】
受信デバイスにより、伝送デバイスにより送信されたＭＡＣ  ＰＤＵを受信する前記段階は、前記受信デバイスにより、ユニキャスト送信方式で前記伝送デバイスにより送信された前記ＭＡＣ  ＰＤＵを受信する段階であって、前記ＭＡＣ  ＰＤＵのパケットヘッダが、ユニキャスト・モード・インディケータ・ビットと、前記伝送デバイスの識別子と、ユニキャスト宛先アドレスとを保持する、段階を含み、
前記受信デバイスにより、ＲＬＣ層に、前記キャッシュエンティティにおける前記ＭＡＣ  ＰＤＵに含まれる前記ＭＡＣ  ＳＤＵを送信する前記段階は、前記受信デバイスにより、前記ユニキャスト宛先アドレスが前記受信デバイスの識別子と一致するか否かを判断し、前記ユニキャスト宛先アドレスが前記受信デバイスの前記識別子と一致する場合、前記ＲＬＣ層に、前記ＭＡＣ  ＰＤＵに対応する前記ＭＡＣ  ＳＤＵを送信する段階を含む、
請求項７に記載の方法。
【請求項１０】
受信デバイスにより、伝送デバイスにより送信されたＭＡＣ  ＰＤＵを受信する前記段階は、前記受信デバイスにより、マルチキャスト送信方式で前記伝送デバイスにより送信された前記ＭＡＣ  ＰＤＵを受信する段階であって、前記ＭＡＣ  ＰＤＵのパケットヘッダが、マルチキャスト・モード・インディケータ・ビットと、前記伝送デバイスの識別子と、マルチキャスト宛先アドレスとを保持する、段階を含み、
前記受信デバイスにより、ＲＬＣ層に、前記キャッシュエンティティにおける前記ＭＡＣ  ＰＤＵに含まれる前記ＭＡＣ  ＳＤＵを送信する前記段階は、前記受信デバイスにより、前記マルチキャスト宛先アドレスが前記受信デバイスのグループ識別子と一致するか否かを判断し、前記マルチキャスト宛先アドレスが前記受信デバイスの前記グループ識別子と一致する場合、前記ＲＬＣ層に、前記ＭＡＣ  ＰＤＵに対応する前記ＭＡＣ  ＳＤＵを送信する段階を含む、
請求項７に記載の方法。
【請求項１１】
前記ＭＡＣ  ＰＤＵが前記伝送デバイスの無線リンク制御層プロトコルデータユニットＲＬＣ  ＰＤＵをセグメント化することによって取得された場合、受信デバイスにより、伝送デバイスにより送信されたＭＡＣ  ＰＤＵを受信する前記段階は、前記受信デバイスにより、前記ＭＡＣ  ＰＤＵを受信する段階であって、セグメンテーションビット、シリアルナンバービット、又はコンカチネーションビットが、前記ＭＡＣ  ＰＤＵの前記パケットヘッダに追加され、前記セグメンテーションビットは、前記ＭＡＣ  ＳＤＵが前記ＲＬＣ  ＰＤＵをセグメント化することによって取得されたことを示し、前記シリアルナンバービットは、前記ＲＬＣ  ＰＤＵにおける前記ＭＡＣ  ＳＤＵの位置を示し、前記コンカチネーションビットは、前記ＭＡＣ  ＳＤＵの後に別のＭＡＣ  ＳＤＵがまだ存在しているか否かを示す、段階を含み、
前記受信デバイスにより、ＲＬＣ層に、前記キャッシュエンティティにおける前記ＭＡＣ  ＰＤＵに含まれる前記ＭＡＣ  ＳＤＵを送信する前記段階の前に、前記方法は、
前記受信デバイスにより、同じＲＬＣ  ＰＤＵをセグメント化することによって取得された、複数のＭＡＣ  ＰＤＵに含まれる複数のＭＡＣ  ＳＤＵを前記シリアルナンバービットに従ってソーティングし、前記ＲＬＣ層に、ソーティングされた前記複数のＭＡＣ  ＳＤＵを送信する段階を備える
請求項７から１０の何れか一項に記載の方法。
【請求項１２】
前記受信デバイスにより、ＲＬＣ層に、前記キャッシュエンティティにおける前記ＭＡＣ  ＰＤＵに含まれる前記ＭＡＣ  ＳＤＵを送信する前記段階は、前記受信デバイスにより、前記ＭＡＣ  ＰＤＵの前記パケットヘッダにおいて保持される論理チャンネル識別子に従って、前記論理チャンネル識別子に対応し、かつ、前記ＲＬＣ層に存在する論理チャンネルに、前記ＭＡＣ  ＰＤＵに含まれる前記ＭＡＣ  ＳＤＵを送信する段階を含む、請求項７から１１の何れか一項に記載の方法。
【請求項１３】
メディアアクセス制御層サービスデータユニットＭＡＣ  ＳＤＵの送信方式を前記ＭＡＣ  ＳＤＵの論理チャンネル種類に従って設定するよう構成される設定モジュールと、
前記設定モジュールにより設定された前記送信方式に従って、前記ＭＡＣ  ＳＤＵから取得されたメディアアクセス制御層プロトコルデータユニットＭＡＣ  ＰＤＵを送信するよう構成される送信モジュールと
を備える
伝送デバイス。
【請求項１４】
前記設定モジュールは、前記ＭＡＣ  ＳＤＵの前記論理チャンネル種類がブロードキャスト型である場合、前記ＭＡＣ  ＳＤＵの前記送信方式をブロードキャスト送信方式に設定するように、前記ＭＡＣ  ＰＤＵのパケットヘッダに、ブロードキャスト・モード・インディケータ・ビットを追加するよう具体的に構成される、請求項１３に記載の伝送デバイス。
【請求項１５】
前記設定モジュールは、前記ＭＡＣ  ＳＤＵの前記論理チャンネル種類がユニキャスト型である場合、前記ＭＡＣ  ＳＤＵの前記送信方式をユニキャスト送信方式に設定するように、前記ＭＡＣ  ＰＤＵのパケットヘッダに、ユニキャスト・モード・インディケータ・ビットと、前記伝送デバイスの識別子と、ユニキャスト宛先アドレスとを追加するよう具体的に構成される、請求項１３に記載の伝送デバイス。
【請求項１６】
前記設定モジュールは、前記ＭＡＣ  ＳＤＵの前記論理チャンネル種類がマルチキャスト型である場合、前記ＭＡＣ  ＳＤＵの前記送信方式をマルチキャスト送信方式に設定するように、前記ＭＡＣ  ＰＤＵのパケットヘッダに、マルチキャスト・モード・インディケータ・ビットと、前記伝送デバイスの識別子と、マルチキャスト宛先アドレスとを追加するよう具体的に構成される、請求項１３に記載の伝送デバイス。
【請求項１７】
前記ＭＡＣ  ＳＤＵが、前記伝送デバイスの無線リンク制御層プロトコルデータユニットＲＬＣ  ＰＤＵをセグメント化することによって取得された場合、前記ＭＡＣ  ＰＤＵの前記パケットヘッダに、セグメンテーションビット、シリアルナンバービット、又はコンカチネーションビットを追加するよう構成される追加モジュールをさらに備え、前記セグメンテーションビットは、前記ＭＡＣ  ＳＤＵが前記ＲＬＣ  ＰＤＵをセグメント化することによって取得されたことを示し、前記シリアルナンバービットは、前記ＲＬＣ  ＰＤＵにおける前記ＭＡＣ  ＳＤＵの位置を示し、前記コンカチネーションビットは、前記ＭＡＣ  ＳＤＵの後に別のＭＡＣ  ＳＤＵがまだ存在しているか否かを示す、請求項１３から１６の何れか一項に記載の伝送デバイス。
【請求項１８】
前記ＭＡＣ  ＰＤＵの前記パケットヘッダは、論理チャンネル識別子をさらに保持する、請求項１３から１７の何れか一項に記載の伝送デバイス。
【請求項１９】
伝送デバイスにより送信されるメディアアクセス制御層プロトコルデータユニットＭＡＣ  ＰＤＵを受信するよう構成される受信モジュールであって、前記ＭＡＣ  ＰＤＵは、メディアアクセス制御層サービスデータユニットＭＡＣ  ＳＤＵの論理チャンネル種類に従って前記伝送デバイスにより設定された送信方式で送信される、受信モジュールと、
前記伝送デバイスに対応するキャッシュエンティティに、前記受信モジュールにより受信された前記ＭＡＣ  ＰＤＵを送信し、次に、無線リンク制御ＲＬＣ層に、前記キャッシュエンティティにおける前記ＭＡＣ  ＰＤＵに含まれる前記ＭＡＣ  ＳＤＵを送信するよう構成される送信モジュールと
を備える
受信デバイス。
【請求項２０】
前記受信モジュールは、ブロードキャスト送信方式で前記伝送デバイスにより送信された前記ＭＡＣ  ＰＤＵを受信するよう具体的に構成される、請求項１９に記載の受信デバイス。
【請求項２１】
判断モジュールをさらに備え、
前記受信モジュールは、ユニキャスト送信方式で前記伝送デバイスにより送信された前記ＭＡＣ  ＰＤＵを受信するよう具体的に構成され、前記ＭＡＣ  ＰＤＵのパケットヘッダが、ユニキャスト・モード・インディケータ・ビットと、前記伝送デバイスの識別子と、ユニキャスト宛先アドレスとを保持し、
前記判断モジュールは、前記ユニキャスト宛先アドレスが前記受信デバイスの識別子と一致するか否かを判断するよう構成され、
前記送信モジュールは、前記判断モジュールが、前記ユニキャスト宛先アドレスが前記受信デバイスの前記識別子と一致すると判断した場合、前記ＲＬＣ層に、前記ＭＡＣ  ＰＤＵに含まれる前記ＭＡＣ  ＳＤＵを送信するよう具体的に構成される、
請求項１９に記載の受信デバイス。
【請求項２２】
判断モジュールをさらに備え、
前記受信モジュールは、マルチキャスト送信方式で前記伝送デバイスにより送信された前記ＭＡＣ  ＰＤＵを受信するよう具体的に構成され、前記ＭＡＣ  ＰＤＵのパケットヘッダが、マルチキャスト・モード・インディケータ・ビットと、前記伝送デバイスの識別子と、マルチキャスト宛先アドレスとを保持し、
前記判断モジュールは、前記マルチキャスト宛先アドレスが前記受信デバイスのグループ識別子と一致するか否かを判断するよう構成され、
前記送信モジュールは、前記判断モジュールが、前記マルチキャスト宛先アドレスが前記受信デバイスの前記グループ識別子と一致すると判断した場合、前記ＲＬＣ層に、前記ＭＡＣ  ＰＤＵに含まれる前記ＭＡＣ  ＳＤＵを送信するよう具体的に構成される、
請求項１９に記載の受信デバイス。
【請求項２３】
ソーティングモジュールをさらに備え、
前記受信モジュールは、前記ＭＡＣ  ＰＤＵを受信するよう具体的に構成され、セグメンテーションビット、シリアルナンバービット、又はコンカチネーションビットが前記ＭＡＣ  ＰＤＵの前記パケットヘッダに追加され、前記セグメンテーションビットは、前記ＭＡＣ  ＳＤＵがＲＬＣ  ＰＤＵをセグメント化することによって取得されたことを示し、前記シリアルナンバービットは、前記ＲＬＣ  ＰＤＵにおける前記ＭＡＣ  ＳＤＵの位置を示し、前記コンカチネーションビットは、前記ＭＡＣ  ＳＤＵの後に別のＭＡＣ  ＳＤＵがまだ存在しているか否かを示し、
前記ソーティングモジュールは、同じＲＬＣ  ＰＤＵをセグメント化することによって取得された、複数のＭＡＣ  ＰＤＵに含まれる複数のＭＡＣ  ＳＤＵを前記シリアルナンバービットに従ってソーティングするよう構成され、
前記送信モジュールは、前記ＲＬＣ層に、前記ソーティングモジュールによりソーティングされた前記複数のＭＡＣ  ＳＤＵを送信するよう具体的に構成される、
請求項１９から２２の何れか一項に記載の受信デバイス。
【請求項２４】
前記送信モジュールは、前記ＭＡＣ  ＰＤＵの前記パケットヘッダにおいて保持される論理チャンネル識別子に従って、前記論理チャンネル識別子に対応し、かつ、前記ＲＬＣ層に存在する論理チャンネルに、前記ＭＡＣ  ＰＤＵに含まれる前記ＭＡＣ  ＳＤＵを送信するよう具体的に構成される、請求項１９から２３の何れか一項に記載の受信デバイス。
【請求項２５】
プロセッサとメモリとを備える伝送デバイスであって、前記メモリは、実行命令を格納し、前記伝送デバイスが動作している場合、前記プロセッサは、前記メモリと通信し、前記プロセッサは、前記伝送デバイスに請求項１から６の何れか一項に記載の方法を実行させるべく、前記実行命令を実行する、伝送デバイス。
【請求項２６】
プロセッサとメモリとを備える受信デバイスであって、前記メモリは、実行命令を格納し、前記受信デバイスが動作している場合、前記プロセッサは前記メモリと通信し、前記プロセッサは、前記受信デバイスに請求項７から１２の何れか一項に記載の方法を実行させるべく、前記実行命令を実行する、受信デバイス。
【発明の詳細な説明】
【技術分野】
【０００１】
本発明の複数の実施形態は、複数の無線通信技術に関し、特に、データ伝送方法、伝送デバイス、及び受信デバイスに関する。
【背景技術】
【０００２】
現在、セルラ移動通信システムにおいて、従来の通信方式が、主に２つの移動端末の間の通信のために用いられる。この方式では、互いに通信する必要のある２つの端末は、基地局による転送を用いて通信する。火事などの公共安全事件が発生した後、レスキュー隊が、特定の領域において指揮チームと通信し、大量のビデオストリームなどが、複数の異なるグループの複数の移動端末の間で伝送される必要がある。基地局の輻輳により引き起こされる救援の失敗を回避するために、通信端末デバイスツーデバイス（ｄｅｖｉｃｅ  ｔｏ  ｄｅｖｉｃｅ、Ｄ２Ｄ）技術が導入されている。
【０００３】
Ｄ２Ｄ技術において、２つの移動端末の間の距離が特定の範囲内に含まれる場合、その２つの移動端末は、直接通信することができ、基地局によるアップリンク及びダウンリンク転送を用いて通信する必要がない。特に、従来の通信方式で基地局による移動端末へのデータ送信処理と同様に、デバイスツーデバイス通信方式では、送信機デバイスが、受信機デバイスに、送信されるべきデータを直接送信する。
【０００４】
しかしながら、デバイスツーデバイス方式では、複数の送信機が１つの受信機にデータを同時に送信するシナリオが存在し得る。例えば、レスキュー隊の複数のメンバーが、指揮チームの１つのメンバーに、データを同時に送信する。この場合、移動端末のメディアアクセス制御（Ｒａｄｉｏ  Ｌｉｎｋ  Ｃｏｎｔｒｏｌ、ＭＡＣ）層は、１つの伝送デバイスからのデータしか処理できないので、データ伝送が失敗する。
【発明の概要】
【０００５】
本発明の複数の実施形態は、データ伝送方法、伝送デバイス、及び受信デバイスを提供する。複数の伝送デバイスのデータの同時処理ができるＭＡＣ層構造が提案されており、これにより、データ伝送信頼度が向上される。
【０００６】
第１態様によれば、本発明の実施形態は、伝送デバイスにより、メディアアクセス制御層サービスデータユニットＭＡＣ  ＳＤＵの送信方式をそのＭＡＣ  ＳＤＵの論理チャンネル種類に従って設定する段階と、伝送デバイスにより、ＭＡＣ  ＳＤＵから取得されたメディアアクセス制御層プロトコルデータユニットＭＡＣ  ＰＤＵをその送信方式に従って送信する段階とを備えるデータ伝送方法を提供する。
【０００７】
第１態様の第１の可能な実装方式では、伝送デバイスにより、ＭＡＣ  ＳＤＵの送信方式をそのＭＡＣ  ＳＤＵの論理チャンネル種類に従って設定する段階は、ＭＡＣ  ＳＤＵの論理チャンネル種類がブロードキャスト型である場合、ＭＡＣ  ＳＤＵの送信方式をブロードキャスト送信方式に設定するように、ＭＡＣ  ＰＤＵのパケットヘッダに、ブロードキャスト・モード・インディケータ・ビットを追加する段階を含む。
【０００８】
第１態様の第２の可能な実装方式では、伝送デバイスにより、ＭＡＣ  ＳＤＵの送信方式をそのＭＡＣ  ＳＤＵの論理チャンネル種類に従って設定する段階は、ＭＡＣ  ＳＤＵの論理チャンネル種類がユニキャスト型である場合、ＭＡＣ  ＳＤＵの送信方式をユニキャスト送信方式に設定するように、ＭＡＣ  ＰＤＵのパケットヘッダに、ユニキャスト・モード・インディケータ・ビットと、伝送デバイスの識別子と、ユニキャスト宛先アドレスとを追加する段階を含む。
【０００９】
第１態様の第３の可能な実装方式では、伝送デバイスにより、ＭＡＣ  ＳＤＵの送信方式をそのＭＡＣ  ＳＤＵの論理チャンネル種類に従って設定する段階は、ＭＡＣ  ＳＤＵの論理チャンネル種類がマルチキャスト型である場合、ＭＡＣ  ＳＤＵの送信方式をマルチキャスト送信方式に設定するように、ＭＡＣ  ＰＤＵのパケットヘッダに、マルチキャスト・モード・インディケータ・ビットと、伝送デバイスの識別子と、マルチキャスト宛先アドレスとを追加する段階を含む。
【００１０】
第１態様、若しくは第１態様の第１、第２、又は第３の可能な実装方式に関連して、第１態様の第４の可能な実装方式では、ＭＡＣ  ＳＤＵが、伝送デバイスの無線リンク制御層プロトコルデータユニットＲＬＣ  ＰＤＵをセグメント化することによって取得された場合、方法は、伝送デバイスにより、ＭＡＣ  ＰＤＵのパケットヘッダに、セグメンテーションビット、シリアルナンバービット、又はコンカチネーションビットを追加する段階をさらに備え、ここで、セグメンテーションビットは、ＭＡＣ  ＳＤＵがＲＬＣ  ＰＤＵをセグメント化することによって取得されたことを示し、シリアルナンバービットは、ＲＬＣ  ＰＤＵにおけるＭＡＣ  ＳＤＵの位置を示し、コンカチネーションビットは、ＭＡＣ  ＳＤＵの後に別のＭＡＣ  ＳＤＵがまだ存在しているか否かを示す。
【００１１】
第１態様、若しくは第１態様の第１、第２、第３、又は第４の可能な実装方式に関連して、第１態様の第５の可能な実装方式では、ＭＡＣ  ＰＤＵのパケットヘッダは、論理チャンネル識別子をさらに保持する。
【００１２】
第２態様によれば、本発明の実施形態は、受信デバイスにより、伝送デバイスにより送信されたメディアアクセス制御層プロトコルデータユニットＭＡＣ  ＰＤＵを受信する段階であって、ＭＡＣ  ＰＤＵは、メディアアクセス制御層サービスデータユニットＭＡＣ  ＳＤＵの論理チャンネル種類に従って伝送デバイスにより設定された送信方式で送信される、段階と、受信デバイスにより、伝送デバイスに対応するキャッシュエンティティに、ＭＡＣ  ＰＤＵを送信する段階と、受信デバイスにより、無線リンク制御ＲＬＣ層に、キャッシュエンティティにおけるＭＡＣ  ＰＤＵに含まれるＭＡＣ  ＳＤＵを送信する段階とを備えるデータ伝送方法を提供する。
【００１３】
第２態様の第１の可能な実装方式では、受信デバイスにより、伝送デバイスにより送信されたＭＡＣ  ＰＤＵを受信する段階は、受信デバイスにより、ブロードキャスト送信方式で伝送デバイスにより送信されたＭＡＣ  ＰＤＵを受信する段階を含む。
【００１４】
第２態様の第２の可能な実装方式では、受信デバイスにより、伝送デバイスにより送信されたＭＡＣ  ＰＤＵを受信する段階は、受信デバイスにより、ユニキャスト送信方式で伝送デバイスにより送信されたＭＡＣ  ＰＤＵを受信する段階であって、ＭＡＣ  ＰＤＵのパケットヘッダが、ユニキャスト・モード・インディケータ・ビットと、伝送デバイスの識別子と、ユニキャスト宛先アドレスとを保持する、段階を含み、受信デバイスにより、ＲＬＣ層に、キャッシュエンティティにおけるＭＡＣ  ＰＤＵに含まれるＭＡＣ  ＳＤＵを送信する段階は、受信デバイスにより、ユニキャスト宛先アドレスが受信デバイスの識別子と一致するか否かを判断し、ユニキャスト宛先アドレスが受信デバイスの識別子と一致する場合、ＲＬＣ層に、ＭＡＣ  ＰＤＵに含まれるＭＡＣ  ＳＤＵを送信する段階を含む。
【００１５】
第２態様の第３の可能な実装方式では、受信デバイスにより、伝送デバイスにより送信されたＭＡＣ  ＰＤＵを受信する段階は、受信デバイスにより、マルチキャスト送信方式で伝送デバイスにより送信されたＭＡＣ  ＰＤＵを受信する段階であって、ＭＡＣ  ＰＤＵのパケットヘッダが、マルチキャスト・モード・インディケータ・ビットと、伝送デバイスの識別子と、マルチキャスト宛先アドレスとを保持する、段階を含み、受信デバイスにより、ＲＬＣ層に、キャッシュエンティティにおけるＭＡＣ  ＰＤＵに含まれるＭＡＣ  ＳＤＵを送信する段階は、受信デバイスにより、マルチキャスト宛先アドレスが受信デバイスのグループ識別子と一致するか否かを判断し、マルチキャスト宛先アドレスが受信デバイスのグループ識別子と一致する場合、ＲＬＣ層に、ＭＡＣ  ＰＤＵに対応するＭＡＣ  ＳＤＵを送信する段階を含む。
【００１６】
第２態様、若しくは、第２態様の第１、第２、又は第３の可能な実装方式に関連して、第２態様の第４の可能な実装方式では、ＭＡＣ  ＰＤＵが伝送デバイスの無線リンク制御層プロトコルデータユニットＲＬＣ  ＰＤＵをセグメント化することによって取得された場合、受信デバイスにより、伝送デバイスにより送信されたＭＡＣ  ＰＤＵを受信する段階は、受信デバイスにより、ＭＡＣ  ＰＤＵを受信する段階であって、セグメンテーションビット、シリアルナンバービット、又はコンカチネーションビットがＭＡＣ  ＰＤＵのパケットヘッダに追加される、段階を含み、セグメンテーションビットは、ＭＡＣ  ＳＤＵがＲＬＣ  ＰＤＵをセグメント化することによって取得されたことを示し、シリアルナンバービットは、ＲＬＣ  ＰＤＵにおけるＭＡＣ  ＳＤＵの位置を示し、コンカチネーションビットは、ＭＡＣ  ＳＤＵの後に別のＭＡＣ  ＳＤＵがまだ存在しているか否かを示し、受信デバイスにより、ＲＬＣ層に、キャッシュエンティティにおけるＭＡＣ  ＰＤＵに含まれるＭＡＣ  ＳＤＵを送信する段階の前に、方法は、受信デバイスにより、同じＲＬＣ  ＰＤＵをセグメント化することによって取得された、複数のＭＡＣ  ＰＤＵに含まれる複数のＭＡＣ  ＳＤＵを、シリアルナンバービットに従ってソーティングし、ＲＬＣ層に、ソーティングされた複数のＭＡＣ  ＳＤＵを送信する段階を備える。
【００１７】
第２態様、若しくは第２態様の第１、第２、第３、又は第４の可能な実装方式に関連して、第２態様の第５の可能な実装方式では、受信デバイスにより、ＲＬＣ層に、キャッシュエンティティにおけるＭＡＣ  ＰＤＵに含まれるＭＡＣ  ＳＤＵを送信する段階は、受信デバイスにより、論理チャンネル識別子に対応し、かつ、ＲＬＣ層における論理チャンネルに、ＭＡＣ  ＰＤＵに含まれるＭＡＣ  ＳＤＵを、ＭＡＣ  ＰＤＵのパケットヘッダにおいて保持される論理チャンネル識別子に従って送信する段階を含む。
【００１８】
第３態様によれば、本発明の実施形態は、メディアアクセス制御層サービスデータユニットＭＡＣ  ＳＤＵの送信方式をそのＭＡＣ  ＳＤＵの論理チャンネル種類に従って設定するよう構成される設定モジュールと、設定モジュールにより設定された送信方式に従って、ＭＡＣ  ＳＤＵから取得されたメディアアクセス制御層プロトコルデータユニットＭＡＣ  ＰＤＵを送信するよう構成される送信モジュールとを備える伝送デバイスを提供する。
【００１９】
第３態様の第１の可能な実装方式では、設定モジュールは、ＭＡＣ  ＳＤＵの論理チャンネル種類がブロードキャスト型である場合、ＭＡＣ  ＳＤＵの送信方式をブロードキャスト送信方式に設定するように、ＭＡＣ  ＰＤＵのパケットヘッダに、ブロードキャスト・モード・インディケータ・ビットを追加するよう具体的に構成される。
【００２０】
第３態様の第２の可能な実装方式では、設定モジュールは、ＭＡＣ  ＳＤＵの論理チャンネル種類がユニキャスト型である場合、ＭＡＣ  ＳＤＵの送信方式をユニキャスト送信方式に設定するように、ＭＡＣ  ＰＤＵのパケットヘッダに、ユニキャスト・モード・インディケータ・ビットと、伝送デバイスの識別子と、ユニキャスト宛先アドレスとを追加するよう具体的に構成される。
【００２１】
第３態様の第３の可能な実装方式では、設定モジュールは、ＭＡＣ  ＳＤＵの論理チャンネル種類がマルチキャスト型である場合、ＭＡＣ  ＳＤＵの送信方式をマルチキャスト送信方式に設定するように、ＭＡＣ  ＰＤＵのパケットヘッダに、マルチキャスト・モード・インディケータ・ビットと、伝送デバイスの識別子と、マルチキャスト宛先アドレスとを追加するよう具体的に構成される。
【００２２】
第３態様、若しくは第３態様の第１、第２、又は第３の可能な実装方式に関連して、第３態様の第４の可能な実装方式では、伝送デバイスは、ＭＡＣ  ＳＤＵが伝送デバイスの無線リンク制御層プロトコルデータユニットＲＬＣ  ＰＤＵをセグメント化することによって取得された場合、ＭＡＣ  ＰＤＵのパケットヘッダに、セグメンテーションビット、シリアルナンバービット、又はコンカチネーションビットを追加するよう構成される追加モジュールであって、セグメンテーションビットは、ＭＡＣ  ＳＤＵがＲＬＣ  ＰＤＵをセグメント化することによって取得されたことを示し、シリアルナンバービットは、ＲＬＣ  ＰＤＵにおけるＭＡＣ  ＳＤＵの位置を示し、コンカチネーションビットは、ＭＡＣ  ＳＤＵの後に別のＭＡＣ  ＳＤＵがまだ存在しているか否かを示す、追加モジュールをさらに備える。
【００２３】
第３態様、若しくは第３態様の第１、第２、第３、又は第４の可能な実装方式に関連して、第３態様の第５の可能な実装方式では、ＭＡＣ  ＰＤＵのパケットヘッダは、論理チャンネル識別子をさらに保持する。
【００２４】
第４態様によれば、本発明の実施形態は、伝送デバイスにより送信されたメディアアクセス制御層プロトコルデータユニットＭＡＣ  ＰＤＵを受信するよう構成される受信モジュールであって、ＭＡＣ  ＰＤＵは、メディアアクセス制御層サービスデータユニットＭＡＣ  ＳＤＵの論理チャンネル種類に従って伝送デバイスにより設定された送信方式で送信される、受信モジュールと、伝送デバイスに対応するキャッシュエンティティに、受信モジュールにより受信されたＭＡＣ  ＰＤＵを送信し、次に、無線リンク制御ＲＬＣ層に、キャッシュエンティティにおけるＭＡＣ  ＰＤＵに含まれるＭＡＣ  ＳＤＵを送信するよう構成される送信モジュールとを備える受信デバイスを提供する。
【００２５】
第４態様の第１の可能な実装方式では、受信モジュールは、ブロードキャスト送信方式で伝送デバイスにより送信されたＭＡＣ  ＰＤＵを受信するよう具体的に構成される。
【００２６】
第４態様の第２の可能な実装方式では、受信デバイスは、判断モジュールをさらに備え、ここで、受信モジュールは、ユニキャスト送信方式で伝送デバイスにより送信されたＭＡＣ  ＰＤＵを受信するよう具体的に構成され、ＭＡＣ  ＰＤＵのパケットヘッダが、ユニキャスト・モード・インディケータ・ビットと、伝送デバイスの識別子と、ユニキャスト宛先アドレスとを保持し、判断モジュールは、ユニキャスト宛先アドレスが受信デバイスの識別子と一致するか否かを判断するよう構成され、送信モジュールは、判断モジュールが、ユニキャスト宛先アドレスが受信デバイスの識別子と一致すると判断した場合、ＲＬＣ層に、ＭＡＣ  ＰＤＵに含まれるＭＡＣ  ＳＤＵを送信するよう具体的に構成される。
【００２７】
第４態様の第３の可能な実装方式では、受信デバイスは、判断モジュールをさらに備え、ここで、受信モジュールは、マルチキャスト送信方式で伝送デバイスにより送信されたＭＡＣ  ＰＤＵを受信するよう具体的に構成され、ＭＡＣ  ＰＤＵのパケットヘッダが、マルチキャスト・モード・インディケータ・ビットと、伝送デバイスの識別子と、マルチキャスト宛先アドレスとを保持し、判断モジュールは、マルチキャスト宛先アドレスが受信デバイスのグループ識別子と一致するか否かを判断するよう構成され、送信モジュールは、判断モジュールが、マルチキャスト宛先アドレスが受信デバイスのグループ識別子と一致すると判断した場合、ＲＬＣ層に、ＭＡＣ  ＰＤＵに含まれるＭＡＣ  ＳＤＵを送信するよう具体的に構成される。
【００２８】
第４態様、若しくは第４態様の第１、第２、第３の可能な実装方式に関連して、第４態様の第４の可能な実装方式では、受信デバイスは、ソーティングモジュールをさらに備え、ここで、受信モジュールは、ＭＡＣ  ＰＤＵを受信するよう具体的に構成され、セグメンテーションビット、シリアルナンバービット、又はコンカチネーションビットが、ＭＡＣ  ＰＤＵのパケットヘッダに追加され、セグメンテーションビットは、ＭＡＣ  ＳＤＵがＲＬＣ  ＰＤＵをセグメント化することによって取得されたことを示し、シリアルナンバービットは、ＲＬＣ  ＰＤＵにおけるＭＡＣ  ＳＤＵの位置を示し、コンカチネーションビットは、ＭＡＣ  ＳＤＵの後に別のＭＡＣ  ＳＤＵがまだ存在しているか否かを示し、ソーティングモジュールは、同じＲＬＣ  ＰＤＵをセグメント化することによって取得された、複数のＭＡＣ  ＰＤＵに含まれる複数のＭＡＣ  ＳＤＵを、シリアルナンバービットに従ってソーティングするよう構成され、送信モジュールは、ＲＬＣ層に、ソーティングモジュールによりソーティングされた複数のＭＡＣ  ＳＤＵを送信するよう具体的に構成される。
【００２９】
第４態様、若しくは第４態様の第１、第２、第３、又は第４の可能な実装方式に関連して、第４態様の第５の可能な実装方式では、送信モジュールは、論理チャンネル識別子に対応し、かつ、ＲＬＣ層における論理チャンネルに、ＭＡＣ  ＰＤＵのパケットヘッダにおいて保持される論理チャンネル識別子に従って、ＭＡＣ  ＰＤＵに含まれるＭＡＣ  ＳＤＵを送信するよう具体的に構成される。
【００３０】
第５態様によれば、本発明の実施形態は、プロセッサとメモリとを備える伝送デバイスを提供し、ここで、メモリは、実行命令を格納し、伝送デバイスが動作している場合、プロセッサは、メモリと通信し、プロセッサは、その実行命令を実行し、これにより、伝送デバイスは、第１態様又は第１態様の第１から第５の可能な実装方式のいずれか１つに記載の方法を実行する。
【００３１】
第６態様によれば、本発明の実施形態は、プロセッサとメモリとを備える受信デバイスを提供し、ここで、メモリは、実行命令を格納し、受信デバイスが動作している場合、プロセッサは、メモリと通信し、プロセッサは、その実行命令を実行し、これにより、受信デバイスは、第２態様又は第２態様の第１から第５の可能な実装方式のいずれか１つに記載の方法を実行する。
【００３２】
本発明の複数の実施形態は、データ伝送方法、伝送デバイス、及び受信デバイスを提供する。伝送デバイスは、ＭＡＣ  ＳＤＵの送信方式をそのＭＡＣ  ＳＤＵの論理チャンネル種類に従って設定し、その送信方式に従ってＭＡＣ  ＳＤＵを送信し、これにより、受信デバイスは、ＭＡＣ  ＳＤＵをキャッシュして処理する。複数の伝送デバイスが、受信デバイスに、複数のＭＡＣ  ＰＤＵを同時に送信する場合、受信デバイスは、複数の異なる伝送デバイスに対応する複数のキャッシュエンティティに、複数の伝送デバイスにより送信された複数のＭＡＣ  ＰＤＵをキャッシュし、複数のＭＡＣ  ＰＤＵを処理する。この処理において、受信デバイスは、複数の伝送デバイスにより送信された複数のＭＡＣ  ＳＤＵを同時に処理することができ、従って、Ｄ２Ｄ通信におけるデータ伝送信頼度を向上させることができる。
【図面の簡単な説明】
【００３３】
【図１】本発明に係るデータ伝送方法におけるユーザ・プレーン・プロトコル・スタックの模式図である。
【図２】本発明に係るデータ伝送方法の実施形態１のフローチャートである。
【図３】本発明に係る伝送デバイスのＭＡＣエンティティの概略構造図である。
【図４】本発明に係るデータ伝送方法における送信方式設定及びアドレス追加処理のフローチャートである。
【図５】本発明に係るデータ伝送方法の実施形態２のフローチャートである。
【図６】本発明に係る受信デバイスのＭＡＣエンティティの概略構造図である。
【図７Ａ】本発明に係るデータ伝送方法における、ブロードキャスト方式で送信されるＭＡＣ  ＰＤＵのパケットヘッダの概略形式図である。
【図７Ｂ】本発明に係るデータ伝送方法における、ユニキャスト方式で送信されるＭＡＣ  ＰＤＵのパケットヘッダの概略形式図である。
【図７Ｃ】本発明に係るデータ伝送方法における、マルチキャスト方式で送信されるＭＡＣ  ＰＤＵのパケットヘッダの概略形式図である。
【図８】本発明に係るデータ伝送方法におけるＭＡＣ‐Ｕエンティティの概略構造図である。
【図９】本発明に係るデータ伝送方法におけるＭＡＣ‐ＧＵエンティティの概略構造図である。
【図１０】本発明に係るデータ伝送方法におけるＭＡＣ‐Ｕエンティティの別の概略構造図である。
【図１１】本発明に係るデータ伝送方法におけるＭＡＣ  ＰＤＵの、シリアルナンバービットが追加されたパケットヘッダの概略形式図である。
【図１２Ａ】本発明に係るデータ伝送方法における共通パケットヘッダ及びサブパケットヘッダの概略形式図である。
【図１２Ｂ】本発明に係るデータ伝送方法における別の共通パケットヘッダ及び別のサブパケットヘッダの概略形式図である。
【図１３Ａ】本発明に係るデータ伝送方法における、ブロードキャスト方式で送信されたＭＡＣ  ＰＤＵが逆多重化された後に取得されたデータパケットの概略形式図である。
【図１３Ｂ】本発明に係るデータ伝送方法における、ユニキャスト方式で送信されたＭＡＣ  ＰＤＵが逆多重化された後に取得されたデータパケットの概略形式図である。
【図１３Ｃ】本発明に係るデータ伝送方法における、マルチキャスト方式で送信されたＭＡＣ  ＰＤＵが逆多重化された後に取得されたデータパケットの概略形式図である。
【図１４】本発明に係る伝送デバイスの実施形態１の概略構造図である。
【図１５】本発明に係る伝送デバイスの実施形態２の概略構造図である。
【図１６】本発明に係る受信デバイスの実施形態１の概略構造図である。
【図１７】本発明に係る受信デバイスの実施形態２の概略構造図である。
【図１８】本発明に係る伝送デバイスの実施形態３の概略構造図である。
【図１９】本発明に係る受信デバイスの実施形態３の概略構造図である。
【発明を実施するための形態】
【００３４】
本発明の複数の実施形態の複数の目的、複数の技術的解決手段、及び複数の利点をより明確にするために、以下にて、本発明の複数の実施形態に添付の複数の図面を参照し、本発明の複数の実施形態における複数の技術的解決手段を明確にかつ完全に説明する。説明される複数の実施形態は、本発明の複数の実施形態の一部であって、全てではないことは明らかである。当業者により本発明の複数の実施形態に基づいて創造的な努力なしで取得される他の全ての実施形態が、本発明の保護範囲内に含まれるべきである。
【００３５】
本発明の複数の実施形態では、移動端末が、従来のセルラ通信及び端末デバイスツーデバイス通信の両方を実行することができるセルラデバイスツーデバイス端末である。以下にて、説明を明確にするために、データを送信するセルラデバイスツーデバイス端末が、伝送デバイスと称され、データを受信するセルラデバイスツーデバイス端末が、受信デバイスと称される。Ｄ２Ｄ通信処理において、伝送デバイス及び受信デバイスのユーザ・プレーン・プロトコル・スタックが図１に示されている。図１は、本発明に係るデータ伝送方法におけるユーザ・プレーン・プロトコル・スタックの模式図である。図１に示されているように、ユーザ・プレーン・プロトコル・スタックは、上から下の順で、パケット・データ・コンバージェンス・プロトコル（Ｐａｃｋｅｔ  Ｄａｔａ  Ｃｏｎｖｅｒｇｅｎｃｅ  Ｐｒｏｔｏｃｏｌ、ＰＤＣＰ）層と、無線リンク制御（Ｒａｄｉｏ  Ｌｉｎｋ  Ｃｏｎｔｒｏｌ、ＲＬＣ）層と、メディアアクセス制御（Ｒａｄｉｏ  Ｌｉｎｋ  Ｃｏｎｔｒｏｌ、ＭＡＣ）層と、物理（ＰＨＹ）層とを含む。本発明に係るデータ伝送方法は、以下にて、このユーザ・プレーン・プロトコル・スタックに従って、詳細に説明される。
【００３６】
図２は、本発明に係るデータ伝送方法の実施形態１のフローチャートである。この実施形態は、伝送デバイスにより実行され、複数の伝送デバイスが、デバイスツーデバイス通信で、１つの受信デバイスにデータを同時に送信するシナリオに適用可能である。具体的には、この実施形態は、以下の複数の段階を備える。
【００３７】
１０１．伝送デバイスは、メディアアクセス制御層サービスデータユニットＭＡＣ  ＳＤＵの送信方式を、そのＭＡＣ  ＳＤＵの論理チャンネル種類に従って設定する。
【００３８】
概して、各移動端末は、ＭＡＣエンティティを有する。伝送デバイスのＭＡＣエンティティが、トランスポートチャンネルへの論理チャンネルのマッピングを実行することができ、マッピングされた後、各トランスポートチャンネルは、異なる論理チャンネルに対応する。論理チャンネル（Ｌｏｇｉｃａｌ  Ｃｈａｎｎｅｌ、ＬＣＨ）は、複数のデータフローを区別するように、複数の異なるサービスの複数のデータフローを分類することによって取得され、ブロードキャスト制御チャンネル（Ｂｒｏａｄｃａｓｔ  Ｃｏｎｔｒｏｌ  Ｃｈａｎｎｅｌ、ＢＣＣＨ）と、物理制御チャンネル（Ｐｈｙｃａｌ  Ｃｏｎｔｒｏｌ  Ｃｈａｎｎｅｌ、ＰＣＣＨ）と、マルチキャスト制御チャンネル（Ｍｕｌｔｉｃａｓｔ  Ｃｏｎｔｒｏｌ  Ｃｈａｎｎｅｌ、ＭＣＣＨ）と、マルチキャストトラフィックチャンネル（Ｍｕｌｔｉｃａｓｔ  Ｔｒａｆｆｉｃ  Ｃｈａｎｎｅｌ、ＭＴＣＨ）と、共通制御チャンネル（Ｃｏｍｍｏｎ  Ｃｏｎｔｒｏｌ  Ｃｈａｎｎｅｌ、ＣＣＣＨ）と、専用制御チャンネル（Ｄｅｃｉｃａｔｅｄ  Ｃｏｎｔｒｏｌ  Ｃｈａｎｎｅｌ、ＤＣＣＨ）などとを含む。トランスポートチャンネルは、ブロードキャストチャンネル（Ｂｒｏａｄｃａｓｔ  Ｃｈａｎｎｅｌ、ＢＣＨ）と、ダウンリンク共有チャンネル（Ｄｏｗｎｌｉｎｋ  Ｓｈａｒｅｄ  Ｃｈａｎｎｅｌ、ＤＬ‐ＳＣＨ）と、ページングチャンネル（Ｐａｇｉｎｇ  Ｃｈａｎｎｅｌ、ＰＣＨ）と、アップリンク共有チャンネル（Ｕｐｌｉｎｋ  Ｓｈａｒｅｄ  Ｃｈａｎｎｅｌ、ＵＬ‐ＳＣＨ）と、ランダムアクセスチャンネル（Ｒａｎｄｏｍ  Ａｃｃｅｓｓ  Ｃｈａｎｎｅｌ、ＲＡＣＨ）と、マルチキャストチャンネル（Ｍｕｌｔｉｃａｓｔ  Ｃｈａｎｎｅｌ、ＭＣＨ）などとを含む。マッピングされた後、ＰＣＣＨは、ＰＣＨに対応し、ＭＣＣＨ及びＭＴＣＨは、ＭＣＨに対応する。
【００３９】
この段階では、伝送デバイスは、複数のＬＣＨを、その複数のＬＣＨの複数の送信方式に従って、複数の異なる種類に事前に分類し得る。例えば、ＢＣＣＨ及びＰＣＣＨは、ブロードキャスト方式で送信され、ブロードキャスト型に分類される。ＭＣＣＨ及びＭＴＣＨは、マルチキャスト方式で送信され、マルチキャスト型に分類される。ＣＣＣＨ及びＤＣＣＨは、ユニキャスト方式で送信され、ユニキャスト型に分類される。次に、ＭＡＣ  ＳＤＵの送信方式は、そのＭＡＣ  ＳＤＵの論理チャンネル種類に従って設定される。例えば、ＭＡＣ  ＳＤＵがＢＣＣＨ又はＰＣＣＨのデータである場合、ＭＡＣ  ＳＤＵの送信方式は、ブロードキャストに設定される。ＭＡＣ  ＳＤＵがＭＣＣＨ又はＭＴＣＨのデータである場合、ＭＡＣ  ＳＤＵの送信方式は、マルチキャストに設定される。ＭＡＣ  ＳＤＵがＣＣＣＨ又はＤＣＣＨのデータである場合、ＭＡＣ  ＳＤＵの送信方式はユニキャストに設定される。
【００４０】
１０２．伝送デバイスは、その送信方式に従って、ＭＡＣ  ＳＤＵから取得されたメディアアクセス制御層プロトコルデータユニットＭＡＣ  ＰＤＵを送信する。
【００４１】
伝送端では、各層がより高い層からＳＤＵを受信し、下部の層にＰＤＵを出力する。従って、この段階では、論理チャンネル種類に従ってＭＡＣ  ＳＤＵの送信方式を設定した後、伝送デバイスは、その送信方式に従って、ＭＡＣ  ＳＤＵから取得されたＭＡＣ  ＰＤＵを送信し、これにより、受信デバイスがＭＡＣ  ＰＤＵをキャッシュして処理する。この処理において、複数の伝送デバイスが受信デバイスに複数のＭＡＣ  ＰＤＵを同時に送信する場合、受信デバイスは、複数の異なる伝送デバイスに対応する複数のキャッシュエンティティに、複数の伝送デバイスにより送信された複数のＭＡＣ  ＰＤＵをキャッシュし、複数のＭＡＣ  ＰＤＵを処理する。
【００４２】
本発明のこの実施形態において提供されているデータ伝送方法では、伝送デバイスが、ＭＡＣ  ＳＤＵの送信方式をそのＭＡＣ  ＳＤＵの論理チャンネル種類に従って設定し、その送信方式に従って、ＭＡＣ  ＳＤＵを送信し、これにより、受信デバイスがＭＡＣ  ＳＤＵをキャッシュして処理する。複数の伝送デバイスが、受信デバイスに複数のＭＡＣ  ＰＤＵを同時に送信する場合、受信デバイスは、複数の異なる伝送デバイスに対応する複数のキャッシュエンティティに、複数の伝送デバイスにより送信された複数のＭＡＣ  ＰＤＵをキャッシュし、複数のＭＡＣ  ＰＤＵを処理する。この処理において、受信デバイスは、複数の伝送デバイスにより送信された複数のＭＡＣ  ＳＤＵを同時に処理することができ、従って、Ｄ２Ｄ通信におけるデータ伝送信頼度を向上させることができる。
【００４３】
Ｄ２Ｄ通信において、ＭＡＣ層エンティティが、ＰＨＹ層においてデータを処理し、ＲＬＣ層に処理したデータを送信し、各サービスデータフローが、ＲＬＣ層においてデータパケットに封入され、確実に伝送される。ＲＬＣ層エンティティが、論理チャンネルに対応し、ＭＡＣ層は、データを伝送するため、トランスポートチャンネルへとＰＨＹ層においてデータを処理する。従って、伝送デバイスのＭＡＣエンティティは、エアインタフェースリソースを最大限に利用するべく、ＲＬＣ層において論理チャンネルをトランスポートチャンネルにマッピングする機能と、複数の論理チャンネルを１つのトランスポートチャンネルに多重化する機能とを有する必要がある。具体的には、図３を参照すると、図３は、本発明に係る伝送デバイスのＭＡＣエンティティの概略構造図である。
【００４４】
図３に示されているように、伝送デバイスのＭＡＣエンティティは、制御モジュールを有し、制御モジュールを用いて、論理チャンネル優先処理機能と、多重化機能と、パケットヘッダ処理と、グループ加入制御などを実装する。これらの機能は、図３に関連して以下にて詳細に説明される。
【００４５】
図３に示されているように、ＬＣＨ１、ＬＣＨ２、及びＬＣＨ３の複数のＭＡＣ  ＳＤＵが、論理チャンネル優先処理、多重化、及びパケットヘッダ処理の後に、Ｄ２Ｄ  ＳＣＨにマッピングされ、アップリンク制御チャンネル（Ｕｐｌｉｎｋ  Ｃｏｎｔｒｏｌ  Ｃｈａｎｎｅｌ、ＵＣＣＨ）が、用いることによって伝送デバイスが無線グループに加入する論理チャンネルであり、そのアップリンク制御チャンネルに対応するトランスポートチャンネルが、Ｄ２Ｄ  ＰＲＡＣＨであり、グループ・アナウンスメント・チャンネル（Ｇｒｏｕｐ  Ａｎｎｏｕｎｃｅｍｅｎｔ  ｃｈａｎｎｅｌ、ＧＡＣＨ）に対応するトランスポートチャンネルが、Ｄ２Ｄ  ＧＡＣＨである。
【００４６】
概して、公共事件において複数の移動端末が、複数の異なる無線グループに属し、例えば、レスキュー隊又は指揮チームに属してよく、若しくは複数の異なるレスキュー隊に属してよい。同じ無線グループに属する複数の移動端末のうち少なくとも１つが、グループヘッドノードであり、残りの複数の移動端末が、グループナンバーノードである。図３を参照すると、伝送デバイスがグループヘッドノードである場合、伝送デバイスのＲＬＣ層エンティティが、ＧＡＣＨ論理チャンネルを有する。論理チャンネルについての情報が、ＰＨＹ層に、ＭＡＣ層において透過的に伝送され、グループヘッドノードは、ＧＡＣＨを用いて「グループ・アナウンスメント」情報を定期的に送信し、これにより、グループヘッドノードのカバレッジ領域内の別のノードが、グループヘッドノードの存在を知り、このグループに加入する。加えて、グループヘッドノードは、複数の限定された無線リソースをより良く利用し、干渉及び衝突を回避するべく、別のグループメンバーノードのデータ送信をさらにスケジューリングし得る。伝送デバイスがグループメンバーノードである場合、伝送デバイスが無線グループのメンバーになるように、伝送デバイスは、ＵＣＣＨを用いて、グループヘッドノードに、初期アクセス要求を送信し得る。移動端末は、少なくとも２つの無線グループに加入してよく、従って、伝送デバイスは、いくつかの無線グループのグループヘッドノードであってよく、かつ、同時に、伝送デバイスは、別の無線グループのグループメンバーノードであってよいことが、留意されるべきである。
【００４７】
Ｄ２Ｄ通信において、伝送デバイスは、受信デバイスに、ビデオ及び画像などのサービスデータを送信し、各種類のサービスは、少なくとも１つのデータフローを有する。例えば、ビデオサービスは、音声及び画像の２つのデータフローを有し、各データフローは、１つの論理チャンネル（すなわち、１つのＲＬＣインスタンス）に対応する。従って、複数の論理チャンネル上のデータが送信される必要がある場合、ＭＡＣ層は、複数の無線リソースが多数ある場合にその複数の無線リソースを用いて、複数の論理チャンネル上のデータを伝送してよく、これにより、ＭＡＣ層は、多重化機能を有する。さらに、サービスデータのサービス品質を確実にするべく、複数の論理チャンネルを多重化する場合、ＭＡＣ層は、複数の論理チャンネルに優先順位を付け、これにより、ＭＡＣ層は、論理チャンネル優先処理機能を有する。
【００４８】
優先処理及び多重化が実行された後、複数の論理チャンネル上の複数のデータパケットが、パケットヘッダ処理段階に入り、複数の論理チャンネルの複数の論理チャンネル種類が、ＭＡＣ  ＳＤＵと共にパケットヘッダ処理に入る。複数の論理チャンネル種類がユニキャスト型及びマルチキャスト型である場合、ユニキャスト宛先アドレス及びマルチキャスト宛先アドレスも、パケットヘッダ処理段階に入る。具体的には、図４を参照すると、図４は、本発明に係るデータ伝送方法における送信方式設定及びアドレス追加処理のフローチャートである。この実施形態は、１つのＭＡＣ  ＰＤＵが１つのＭＡＣ  ＳＤＵのみを含むシナリオ、又は、１つのＭＡＣ  ＰＤＵが複数のＭＡＣ  ＳＤＵを含むが、その複数のＭＡＣ  ＳＤＵの複数の論理チャンネル種類が一致し、複数の宛先アドレスが一致するシナリオに適用可能であり、この実施形態は、以下の複数の段階を備える。
【００４９】
２０１．ＭＡＣエンティティが論理チャンネル種類を保持するＭＡＣ  ＳＤＵを受信する。２０２．ＭＡＣ  ＳＤＵの論理チャンネル種類がブロードキャスト型であるか否かを判断し、ブロードキャスト型である場合、段階２０３が実行され、そうでない場合、段階２０４が実行される。
【００５０】
ＭＡＣエンティティは、構成パラメータなどに従って、論理チャンネル種類を判断し得る。例えば、０、１、２はそれぞれ、ブロードキャスト型、ユニキャスト型、及びマルチキャスト型を示すのに用いられる。
【００５１】
２０３．ＭＡＣ  ＰＤＵのパケットヘッダに、ブロードキャスト・モード・インディケータ・ビットを追加し、これにより、ＭＡＣ  ＳＤＵの送信方式をブロードキャスト送信方式に設定する。
【００５２】
伝送端では、各層がより高い層からＳＤＵを受信し、下部の層にＰＤＵを出力する。従って、この段階では、ＭＡＣエンティティが、論理チャンネル種類がブロードキャスト型であると判断した場合、ブロードキャスト・モード・インディケータ・ビットは、ＭＡＣ  ＰＤＵのパケットヘッダに追加される。ＭＡＣ  ＰＤＵがブロードキャストモードであるため、宛先アドレスが追加される必要はない。パケットヘッダ処理が完了された後、ＭＡＣ  ＰＤＵは、ＰＨＹ層に送信される。
【００５３】
２０４．ＭＡＣ  ＳＤＵの論理チャンネル種類がユニキャスト型であるか否かを判断し、ユニキャスト型である場合、段階２０５が実行され、そうでない場合、段階２０６が実行される。
【００５４】
２０５．ＭＡＣ  ＰＤＵのパケットヘッダに、ユニキャスト・モード・インディケータ・ビットと、伝送デバイスの識別子と、ユニキャスト宛先アドレスとを追加し、これにより、ＭＡＣ  ＳＤＵの送信方式をユニキャスト送信方式に設定する。
【００５５】
ＭＡＣエンティティが、論理チャンネル種類がユニキャスト型であると判断した場合、ＭＡＣエンティティは、パケットヘッダに、ユニキャスト・モード・インディケータ・ビットとユニキャスト宛先アドレスとを追加する。具体的には、ユニキャスト宛先アドレスは、２つの種類に分類される。１つ目は、宛先アドレスに対応する移動端末と伝送デバイスとが同じ無線グループに属する場合、グループ内ローカルアドレスが、宛先アドレスを説明するのに用いられ得る。２つ目は、宛先アドレスに対応する移動端末と伝送デバイスとが同じ無線グループに属していない場合、グローバルアドレス、すなわち、ターゲット移動端末のグループ識別子及びグループ内アドレスが追加される必要がある。伝送端では、各層がより高い層からＳＤＵを受信し、下部の層にＰＤＵを出力する。従って、データパケット処理が完了された後、処理済みＭＡＣ  ＰＤＵは、ＰＨＹ層に送信される。
【００５６】
２０６．ＭＡＣ  ＰＤＵのパケットヘッダに、マルチキャスト・モード・インディケータ・ビットと、伝送デバイスの識別子と、マルチキャスト宛先アドレスとを追加し、これにより、ＭＡＣ  ＳＤＵの送信方式をマルチキャスト送信方式に設定する。
【００５７】
論理チャンネル種類が、ブロードキャスト型又はユニキャスト型ではなく、マルチキャスト型である場合、マルチキャスト・モード・インディケータ・ビットとマルチキャスト宛先アドレスとがパケットヘッダに追加される。マルチキャスト宛先アドレスは概して、グループ識別子としてみなされる。パケットヘッダ処理が完了された後、処理済みＭＡＣ  ＰＤＵは、ＰＨＹ層に送信される。
【００５８】
１つのＭＡＣ  ＰＤＵが１つのＭＡＣ  ＳＤＵのみを含む場合、先述のＭＡＣ  ＰＤＵのパケットヘッダへのブロードキャスト・モード・インディケータ・ビット、ユニキャスト・モード・インディケータ・ビット、マルチキャスト・モード・インディケータ・ビット、又は同様のものの追加は、ＭＡＣ  ＰＤＵのパケットヘッダへのブロードキャスト・モード・インディケータ・ビット、ユニキャスト・モード・インディケータ・ビット、マルチキャスト・モード・インディケータ・ビット、又は同様のものの追加を指し、１つのＭＡＣ  ＰＤＵが複数のＭＡＣ  ＳＤＵを含む場合、先述のＭＡＣ  ＰＤＵのパケットヘッダへのブロードキャスト・モード・インディケータ・ビット、ユニキャスト・モード・インディケータ・ビット、マルチキャスト・モード・インディケータ・ビット、又は同様のものの追加は、ＭＡＣ  ＰＤＵのサブパケットヘッダへのブロードキャスト・モード・インディケータ・ビット、ユニキャスト・モード・インディケータ・ビット、マルチキャスト・モード・インディケータ・ビット、又は同様のものの追加を指すことが、留意されるべきである。
【００５９】
図４のパケットヘッダ処理段階では、パケットヘッダは、論理チャンネル種類に従って処理され、これにより、マルチキャスト、ユニキャスト、及びブロードキャスト機能が実装され、パケットヘッダのオーバヘッドが最小である。
【００６０】
選択的に、先述の実施形態１では、ＲＬＣ層におけるＲＬＣ  ＰＤＵが大きく、伝送のために複数のＭＡＣ  ＰＤＵに分割される必要がある場合、伝送デバイスは、ＭＡＣ  ＰＤＵのパケットヘッダに、セグメンテーションビット、シリアルナンバービット、又はコンカチネーションビットをさらに追加する必要があり、ここで、セグメンテーションビットは、ＭＡＣ  ＳＤＵがＲＬＣ  ＰＤＵをセグメント化することによって取得されたことを示し、シリアルナンバービットは、ＲＬＣ  ＰＤＵにおけるＭＡＣ  ＳＤＵの位置を示し、コンカチネーションビットは、パケットヘッダの後にパケットヘッダ又はＭＡＣ  ＳＤＵが存在しているか否かを示す。このように、ＭＡＣ  ＰＤＵを受信した後、受信デバイスのデータパケットが判断された場合、受信デバイスは、ＳＮに従って、同じＲＬＣ  ＰＤＵに属する複数のＭＡＣ  ＰＤＵを組み合わせてＲＬＣ  ＰＤＵを復元する。
【００６１】
選択的に、先述の実施形態１では、ＭＡＣ  ＰＤＵのパケットヘッダは、論理チャンネル識別子をさらに保持する。このように、受信端では、各層が下部の層からＰＤＵを受信し、より高い層にＳＤＵを出力する。従って、ＭＡＣ  ＰＤＵを受信した後、受信デバイスのデータパケットが判断された場合、受信デバイスは、論理チャンネル識別子に従って、対応するＲＬＣエンティティに、ＭＡＣ  ＰＤＵに含まれるＭＡＣ  ＳＤＵを伝送する。
【００６２】
図５は、本発明に係るデータ伝送方法の実施形態２のフローチャートである。この実施形態は、受信デバイスにより実行され、複数の伝送デバイスがデバイスツーデバイス通信で１つの受信デバイスにデータを同時に送信するシナリオに適用可能である。具体的には、この実施形態は、以下の複数の段階を備える。
【００６３】
３０１．受信デバイスが、伝送デバイスにより送信されたメディアアクセス制御層プロトコルデータユニットＭＡＣ  ＰＤＵを受信し、ここで、ＭＡＣ  ＰＤＵは、ＭＡＣ  ＳＤＵの論理チャンネル種類に従って伝送デバイスにより設定された送信方式で送信される。
【００６４】
受信デバイスの物理層が、ＭＡＣ  ＳＤＵの論理チャンネル種類に従って伝送デバイスにより設定された送信方式で送信されたＭＡＣ  ＰＤＵを受信する。
【００６５】
３０２．受信デバイスは、伝送デバイスに対応するキャッシュエンティティに、ＭＡＣ  ＰＤＵを送信する。
【００６６】
受信デバイスは、各伝送デバイスのために、ＭＡＣ‐Ｕエンティティ、すなわち、キャッシュエンティティを確立する。ＭＡＣ  ＰＤＵを受信した後、受信デバイスは、対応するキャッシュエンティティに、ＭＡＣ  ＰＤＵを送信する。複数の伝送デバイスが存在する場合、複数の伝送デバイスにより送信された複数のＭＡＣ  ＰＤＵは、複数の対応するキャッシュエンティティに送信される。
【００６７】
３０３．受信デバイスは、無線リンク制御ＲＬＣ層に、キャッシュエンティティにおけるＭＡＣ  ＰＤＵに含まれるＭＡＣ  ＳＤＵを送信する。
【００６８】
逆多重化及びパケットヘッダ除去などの処理を実行した後、キャッシュエンティティにおけるＭＡＣ  ＰＤＵ上において、受信デバイスは、論理チャンネル識別子に従って、対応するＲＬＣエンティティに、処理済みＭＡＣ  ＳＤＵを送信する。
【００６９】
本発明のこの実施形態において提供されるデータ伝送方法では、ＭＡＣ  ＰＤＵの論理チャンネル種類に従って伝送デバイスにより設定された送信方式で送信されたＭＡＣ  ＰＤＵを受信した後、受信デバイスが、ＭＡＣ  ＰＤＵをキャッシュして処理する。複数の伝送デバイスが、受信デバイスに複数のＭＡＣ  ＰＤＵを同時に送信する場合、受信デバイスは、複数の異なる伝送デバイスに対応する複数のキャッシュエンティティに、複数の伝送デバイスにより送信された複数のＭＡＣ  ＰＤＵをキャッシュし、複数のＭＡＣ  ＰＤＵを処理する。この処理において、受信デバイスは、複数の伝送デバイスにより送信された複数のＭＡＣ  ＰＤＵを同時に処理することができ、従って、Ｄ２Ｄ通信におけるデータ伝送信頼度を向上させることができる。
【００７０】
図６は、本発明に係る受信デバイスのＭＡＣエンティティの概略構造図である。図６に示されているように、受信デバイスのＭＡＣエンティティは、制御モジュールを有し、制御モジュールを用いて、各伝送デバイスのためにキャッシュエンティティＭＡＣ−Ｕを確立する。データ伝送処理において、ＰＨＹ層が伝送デバイスにより送信されたＭＡＣ  ＰＤＵを受信した後、分配モジュールが、対応するＭＡＣ−ＵにＭＡＣ  ＰＤＵを送信し、ＭＡＣ−Ｕは、パケットヘッダ処理などを実行し、次に、対応する論理チャンネルにＭＡＣ  ＳＤＵを送信する。受信デバイスのＭＡＣエンティティの分配モジュール、キャッシュエンティティなどについては、以下にて、図６を参照して詳細に説明する。
【００７１】
まず、分配モジュールについて詳細に説明する。具体的には、受信デバイスにより受信されたＭＡＣ  ＰＤＵのパケットヘッダが、伝送デバイスの識別子と、論理チャンネル識別子と、伝送モードインディケータビット「Ｂ／Ｐ／Ｍ」とを保持する。Ｂは、ブロードキャスト送信方式であり、伝送デバイスが、伝送デバイスのデータパケットを受信することができる全ての受信デバイスに、ブロードキャスト方式でＭＡＣ  ＰＤＵを送信することを示し、Ｐは、ユニキャスト送信方式であり、伝送デバイスが、特定の受信機に、ＭＡＣ  ＰＤＵを送信することを示し、Ｍは、マルチキャスト送信方式であり、伝送デバイスが、特定の特徴を有する複数の受信機に、ＭＡＣ  ＰＤＵを送信することを示す。従って、分配モジュールは、ＭＡＣ  ＰＤＵのパケットヘッダにおける情報に従って、複数の対応するＭＡＣ−Ｕエンティティに、複数の異なる伝送デバイスにより送信された複数のＭＡＣ  ＰＤＵを送信する機能を有する。具体的には、図７Ａから図７Ｃを参照してよい。
【００７２】
図７Ａは、本発明に係るデータ伝送方法における、ブロードキャスト方式で送信されるＭＡＣ  ＰＤＵのパケットヘッダの概略形式図である。図７Ａに示されているように、伝送モードインディケータビット「Ｂ／Ｐ／Ｍ」がＢである場合、パケットヘッダが、受信機のアドレス情報又は識別子を含まず、データが物理層において正確に受信されることができることを条件として、後続の処理は実行されることができる。この場合、分配モジュールが、パケットヘッダにおいて保持される、伝送デバイスの識別子に従って、分配を実行し、すなわち、その伝送デバイスのその識別子に対応するＭＡＣ−Ｕエンティティに、データパケットを送信する。
【００７３】
図７Ｂは、本発明に係るデータ伝送方法における、ユニキャスト方式で送信されるＭＡＣ  ＰＤＵのパケットヘッダの概略形式図である。図７Ｂに示されているように、伝送モードインディケータビット「Ｂ／Ｐ／Ｍ」がＰである場合、パケットヘッダが、受信機のアドレス情報又は識別子を含む必要がある。この場合、伝送モードインディケータビットがＰであると判断した後、分配モジュールが、パケットヘッダを読み取り続け、ユニキャスト宛先アドレスを取得し、ユニキャスト宛先アドレスを分配モジュールの識別子と比較する。２つの識別子が一致する場合、分配モジュールは、分配モジュールの受信デバイスがターゲット受信デバイスであるとみなし、伝送デバイスの識別子に対応するＭＡＣ−Ｕエンティティに、データパケットを送信する。２つの識別子が不一致である場合、分配モジュールは、分配モジュールの受信デバイスがこのデータパケットの受信機ではないとみなし、分配モジュールは、そのデータパケットを破棄する。図７Ｂは、１つのデータパケットが複数の論理チャンネルを有するデータユニットを示していることが、留意されるべきである。
【００７４】
図７Ｃは、本発明に係るデータ伝送方法における、マルチキャスト方式で送信されるＭＡＣ  ＰＤＵのパケットヘッダの概略形式図である。図７Ｃに示されているように、伝送モードインディケータビット「Ｂ／Ｐ／Ｍ」がＭである場合、パケットヘッダが、受信機のアドレス情報又は識別子を含む必要がある。この場合、伝送モードインディケータビットがＭであると判断した後、分配モジュールが、パケットヘッダを読み取り続け、宛先グループ識別子（ターゲットグループＩＤ）などのマルチキャスト宛先アドレスを取得し、グループ識別子を分配モジュールのグループのグループ識別子と比較する。２つのグループ識別子が一致する場合、分配モジュールは、分配モジュールの受信デバイスがターゲット受信デバイスであるとみなし、伝送デバイスの識別子に対応するＭＡＣ−Ｕエンティティに、データパケットを送信する。２つのグループ識別子が不一致である場合、分配モジュールは、分配モジュールの受信デバイスがこのデータパケットの受信機ではないとみなし、分配モジュールは、そのデータパケットを破棄する。
【００７５】
次に、キャッシュインスタンス、すなわち、ＭＡＣ‐Ｕについて、詳細に説明する。具体的には、図８を参照すると、図８は、本発明に係るデータ伝送方法におけるＭＡＣ‐Ｕエンティティの概略構造図である。図８に示されているように、受信デバイスが、各伝送デバイスのためにＭＡＣ−Ｕを確立し、ＭＡＣ−Ｕは、データパケットの逆多重化、ＭＡＣ層におけるパケットヘッダの除去などを行い、ＲＬＣ  ＰＤＵを取得し、次に、論理チャンネル識別子に従って、対応するＲＬＣエンティティに、各ＲＬＣ  ＰＤＵを送信する。
【００７６】
加えて、受信デバイスはまた、複数の無線グループに加入し得る。受信デバイスがグループメンバーノードとして機能する場合、ＭＡＣエンティティは、ＭＡＣ‐ＧＡエンティティをさらに確立する。具体的には、図９を参照すると、図９は、本発明に係るデータ伝送方法におけるＭＡＣ‐ＧＡエンティティの概略構造図である。ＭＡＣ‐ＧＡインスタンスは、ＧＡＣＨ論理チャンネルに対応し、グループヘッドノードにより送信される「グループ・アナウンスメント」情報を受信するのに用いられる。ＧＡＣＨチャンネルは、物理層においてユニークな物理リソースを有し、そのユニークな物理リソースは、例えば、周波数に関して独立するリソース、又は時間に関して独立するリソースである。たとえ、受信端ノードが複数の無線グループに加入する場合でも、複数のグループの「グループ・アナウンスメント」情報が複数の物理リソースを用いて区別されることができ、すなわち、１つのデータがＧＡＣＨのデータであるか否かは、物理層において区別されることができるので、受信デバイスの物理層は、ＧＡＣＨチャンネルに属するデータを受信した後、ＭＡＣ−ＧＡエンティティに、データを直接送信する。次に、ＭＡＣ−ＧＡは、データにパケットヘッダを追加しないが、ＧＡＣＨに対応する論理チャンネルのＲＬＣエンティティに、データを直接統合する。
【００７７】
本発明に係るデータ伝送方法の実施形態３では、ＭＡＣ  ＳＤＵが、例えば、伝送デバイスの無線リンク制御層プロトコルデータユニットＲＬＣ  ＰＤＵをセグメント化することによって、取得され、この場合、セグメンテーションビット、シリアルナンバービット、又はコンカチネーションビットが、受信デバイスにより受信されたＭＡＣ  ＰＤＵのパケットヘッダに追加される。セグメンテーションビットは、ＭＡＣ  ＳＤＵがＲＬＣ  ＰＤＵをセグメント化することによって取得されたことを示し、シリアルナンバービットは、ＲＬＣ  ＰＤＵにおけるＭＡＣ  ＳＤＵの位置を示し、コンカチネーションビットは、ＭＡＣ  ＳＤＵの後に、別のＭＡＣ  ＳＤＵがまだ存在しているか否かを示す。受信デバイスにおいて確立されたＭＡＣ‐Ｕエンティティが、シリアルナンバービットに従って、同じＲＬＣ  ＰＤＵをセグメント化することによって取得された複数のＭＡＣ  ＳＤＵをソーティングし、ＲＬＣ層に、ソーティングされた複数のＭＡＣ  ＳＤＵを送信する。この処理において、ＭＡＣ‐Ｕの概略構造図が図１０に示されており、図１０は、本発明に係るデータ伝送方法におけるＭＡＣ−Ｕの別の概略構造図である。ＭＡＣ  ＰＤＵのパケットヘッダは図１１に示されており、図１１は、本発明に係るデータ伝送方法における、ＭＡＣ  ＰＤＵの、シリアルナンバービットが追加されたパケットヘッダの概略形式図である。図１１に示されているように、Ｓはセグメンテーションビットであり、現在のデータパケットがセグメント化されたデータパケットであるか否かを示し、Ｅ又はＥ１は、パケットヘッダインディケータビットであり、このビットの後にデータパケットヘッダ又はデータパケットが存在するか否かを示す。
【００７８】
Ｄ２Ｄ通信処理において、伝送デバイスが一度に、複数の論理チャンネルの複数のデータパケットを送信してよく、この場合、これらのデータパケットの複数のパケットヘッダは、伝送デバイスの同じ識別子を含むが、複数の異なる伝送モードインディケータビットと複数の異なる論理チャンネル識別子とを含む。説明を明確にするために、パケットヘッダは、２つの部分に分割される。各パケットヘッダにおける伝送デバイスの識別子が、共通パケットヘッダと称され、各パケットヘッダにおける、伝送デバイスの識別子以外の部分が、サブパケットヘッダと称され、複数のデータパケットの複数のサブパケットヘッダは概して異なる。具体的には、図１２Ａ及び図１２Ｂを参照すると、図１２Ａは、本発明に係るデータ伝送方法における共通パケットヘッダ及びサブパケットヘッダの概略形式図であり、図１２Ｂは、本発明に係るデータ伝送方法における別の共通パケットヘッダ及び別のサブパケットヘッダの概略形式図である。
【００７９】
図１２Ａ及び図１２Ｂの両方を参照すると、伝送デバイスにより送信された２つのデータパケットの複数のパケットヘッダ形式がそれぞれ、図１２Ａ及び図１２Ｂに示されている通りと仮定し、その２つのパケットヘッダは、伝送デバイス同じ識別子、すなわち、共通パケットヘッダを含むが、複数の異なるサブパケットヘッダを含み、すなわち、図１２Ａの第２のバイトは、図１２Ｂの第２のバイトから第６のバイトまでのバイトと異なる。
【００８０】
図６に示されている先述のアーキテクチャでは、受信されたＭＡＣ  ＰＤＵに対して、受信デバイスの分配モジュールが、ＭＡＣ  ＰＤＵが受信デバイスのデータパケットであると判断した場合、分配モジュールは、対応するＭＡＣ−Ｕに、受信されたＭＡＣ  ＰＤＵを送信し、ＭＡＣ−Ｕは、ＭＡＣ  ＰＤＵを逆多重化し、論理チャンネル識別子に従って、対応するＲＬＣエンティティに、ＭＡＣ  ＳＤＵを送信する。受信デバイスの分配モジュールが、ＭＡＣ  ＰＤＵが受信デバイスのデータパケットではないと判断した場合、分配モジュールは、そのデータパケットを破棄する。しかしながら、本発明は、それらに限定されるものではなく、別の実施可能な実装方式では、分配モジュールはまず、各ＭＡＣ  ＰＤＵを逆多重化し、ＭＡＣ  ＰＤＵの各サブパケットヘッダに従って、分配モジュールが正しい受信機であるか否かを判断してよく、正しい受信機である場合、ＭＡＣ−Ｕエンティティに、各データパケットを送信してよく、そうでない場合、そのデータパケットを破棄してよい。この場合、ＭＡＣ‐Ｕエンティティの逆多重化機能が取り消される。この処理において、分配モジュールが逆多重化を実行した後に取得されたデータパケットが、図１３Ａから図１３Ｃに示されている。図１３Ａは、本発明に係るデータ伝送方法における、ブロードキャスト方式で送信されたＭＡＣ  ＰＤＵが逆多重化された後に取得されたデータパケットの概略形式図であり、図１３Ｂは、本発明に係るデータ伝送方法における、ユニキャスト方式で送信されたＭＡＣ  ＰＤＵが逆多重化された後に取得されたデータパケットの概略形式図であり、図１３Ｃは、本発明に係るデータ伝送方法における、マルチキャスト方式で送信されたＭＡＣ  ＰＤＵが逆多重化された後に取得されたデータパケットの概略形式図である。
【００８１】
加えて、別の可能な実装方式では、分配モジュールは、伝送デバイスの識別子のみに従って、ＭＡＣ‐Ｕに、ＭＡＣ  ＰＤＵを送信してよく、ＭＡＣ−Ｕは、各ＭＡＣ‐ＰＤＵを逆多重化する。次に、ＭＡＣ‐Ｕは、サブパケットヘッダに従って、ＭＡＣ−Ｕが正しい受信機であるか否かを判断し、正しい受信機である場合、ＭＡＣ‐Ｕエンティティに、各データパケットを送信し、そうでない場合、そのデータパケットを破棄する。
【００８２】
図１４は、本発明に係る伝送デバイスの実施形態１の概略構造図である。この実施形態において提供されている伝送デバイスは、本発明の図２の実施形態に対応する装置の実施形態である。具体的な実装過程について、ここでは説明されない。具体的には、この実施形態において提供される伝送デバイス１００が、メディアアクセス制御層サービスデータユニットＭＡＣ  ＳＤＵの送信方式をそのＭＡＣ  ＳＤＵの論理チャンネル種類に従って設定するよう構成される設定モジュール１１と、設定モジュール１１により設定された送信方式に従って、ＭＡＣ  ＳＤＵから取得されたメディアアクセス制御層プロトコルデータユニットＭＡＣ  ＰＤＵを送信するよう構成される送信モジュール１２とを具体的に備える。
【００８３】
本発明のこの実施形態において提供される伝送デバイスは、ＭＡＣ  ＳＤＵの送信方式をそのＭＡＣ  ＳＤＵの論理チャンネル種類に従って設定し、その送信方式に従って、ＭＡＣ  ＳＤＵを送信し、これにより、受信デバイスがＭＡＣ  ＳＤＵをキャッシュして処理する。複数の伝送デバイスが、受信デバイスに、複数のＭＡＣ  ＰＤＵを同時に送信する場合、受信デバイスは、複数の異なる伝送デバイスに対応する複数のキャッシュエンティティに、複数の伝送デバイスにより送信された複数のＭＡＣ  ＰＤＵをキャッシュし、複数のＭＡＣ  ＰＤＵを処理する。この処理において、受信デバイスは、複数の伝送デバイスにより送信された複数のＭＡＣ  ＳＤＵを同時に処理することができ、従って、Ｄ２Ｄ通信におけるデータ伝送信頼度を向上させることができる。
【００８４】
選択的に、本発明の実施形態では、設定モジュール１１は、ＭＡＣ  ＳＤＵの論理チャンネル種類がブロードキャスト型である場合、ＭＡＣ  ＳＤＵの送信方式をブロードキャスト送信方式に設定するように、ＭＡＣ  ＰＤＵのパケットヘッダに、ブロードキャスト・モード・インディケータ・ビットを追加するよう具体的に構成される。
【００８５】
選択的に、本発明の実施形態では、設定モジュール１１は、ＭＡＣ  ＳＤＵの論理チャンネル種類がユニキャスト型である場合、ＭＡＣ  ＳＤＵの送信方式をユニキャスト送信方式に設定するように、ＭＡＣ  ＰＤＵのパケットヘッダに、ユニキャスト・モード・インディケータ・ビットと、伝送デバイスの識別子と、ユニキャスト宛先アドレスとを追加するよう具体的に構成される。
【００８６】
選択的に、本発明の実施形態では、設定モジュール１１は、ＭＡＣ  ＳＤＵの論理チャンネル種類がマルチキャスト型である場合、ＭＡＣ  ＳＤＵの送信方式をマルチキャスト送信方式に設定するように、ＭＡＣ  ＰＤＵのパケットヘッダに、マルチキャスト・モード・インディケータ・ビットと、伝送デバイスの識別子と、マルチキャスト宛先アドレスとを追加するよう具体的に構成される。
【００８７】
図１５は、本発明に係る伝送デバイスの実施形態２の概略構造図である。図１５に示されているように、図１４に示されている構造に基づき、この実施形態における伝送デバイス１００が、ＭＡＣ  ＳＤＵが、伝送デバイスの無線リンク制御層プロトコルデータユニットＲＬＣ  ＰＤＵをセグメント化することによって取得された場合、ＭＡＣ  ＰＤＵのパケットヘッダに、セグメンテーションビット、シリアルナンバービット、又はコンカチネーションビットを追加するよう構成される追加モジュール１３をさらに備え、ここで、セグメンテーションビットは、ＭＡＣ  ＳＤＵがＲＬＣ  ＰＤＵをセグメント化されることによって取得されたことを示し、シリアルナンバービットは、ＲＬＣ  ＰＤＵにおけるＭＡＣ  ＳＤＵの位置を示し、コンカチネーションビットは、ＭＡＣ  ＳＤＵの後に別のＭＡＣ  ＳＤＵがまだ存在しているか否かを示す。
【００８８】
選択的に、本発明の実施形態では、ＭＡＣ  ＰＤＵのパケットヘッダは、論理チャンネル識別子をさらに保持する。
【００８９】
図１６は、本発明に係る受信デバイスの実施形態１の概略構造図である。この実施形態において提供されている受信デバイスは、本発明の図５における実施形態に対応する装置の実施形態である。具体的な実装過程について、ここでは説明されない。具体的には、この実施形態において提供されている受信デバイス２００が、伝送デバイスにより送信されたメディアアクセス制御層プロトコルデータユニットＭＡＣ  ＰＤＵを受信するよう構成される受信モジュール２１であって、ＭＡＣ  ＰＤＵは、メディアアクセス制御層サービスデータユニットＭＡＣ  ＳＤＵの論理チャンネル種類に従って伝送デバイスにより設定された送信方式で送信される、受信モジュール２１と、伝送デバイスに対応するキャッシュエンティティに、受信モジュール２１により受信されたＭＡＣ  ＰＤＵを送信し、次に、無線リンク制御ＲＬＣ層に、キャッシュエンティティにおけるＭＡＣ  ＰＤＵに含まれるＭＡＣ  ＳＤＵを送信するよう構成される送信モジュール２２とを具体的に備える。
【００９０】
ＭＡＣ  ＳＤＵの論理チャンネル種類に従って伝送デバイスにより設定された送信方式で送信されたＭＡＣ  ＰＤＵを受信した後、本発明のこの実施形態において提供されている受信デバイスは、ＭＡＣ  ＰＤＵをキャッシュして処理する。複数の伝送デバイスが、受信デバイスに、複数のＭＡＣ  ＰＤＵを同時に送信する場合、受信デバイスは、複数の異なる伝送デバイスに対応する複数のキャッシュエンティティに、複数の伝送デバイスにより送信された複数のＭＡＣ  ＰＤＵをキャッシュし、複数のＭＡＣ  ＰＤＵを処理する。この処理において、受信デバイスは、複数の伝送デバイスにより送信された複数のＭＡＣ  ＰＤＵを同時に処理することができ、従って、Ｄ２Ｄ通信におけるデータ伝送信頼度を向上させることができる。
【００９１】
選択的に、本発明の実施形態では、受信モジュール２１は、ブロードキャスト方式で伝送デバイスにより送信されたＭＡＣ  ＰＤＵを受信するよう具体的に構成される。
【００９２】
図１７は、本発明に係る受信デバイスの実施形態２の概略構造図である。図１７に示されているように、図１６に示されている構造に基づき、この実施形態における受信デバイス２００が、判断モジュール２３をさらに備え、受信モジュール２１は、ユニキャスト送信方式で伝送デバイスにより送信されたＭＡＣ  ＰＤＵを受信するよう具体的に構成され、ここで、ＭＡＣ  ＰＤＵのパケットヘッダが、ユニキャスト・モード・インディケータ・ビットと、伝送デバイスの識別子と、ユニキャスト宛先アドレスとを保持し、判断モジュール２３は、ユニキャスト宛先アドレスが受信デバイスの識別子と一致しているか否かを判断するよう構成され、送信モジュール２２は、判断モジュール２３が、ユニキャスト宛先アドレスが受信デバイスの識別子と一致すると判断した場合、ＲＬＣ層に、ＭＡＣ  ＰＤＵに含まれるＭＡＣ  ＳＤＵを送信するよう具体的に構成される。
【００９３】
選択的に、本発明の実施形態では、受信モジュール２１は、マルチキャスト送信方式で伝送デバイスにより送信されたＭＡＣ  ＰＤＵを受信するよう具体的に構成され、ここで、ＭＡＣ  ＰＤＵのパケットヘッダが、マルチキャスト・モード・インディケータ・ビットと、伝送デバイスの識別子と、マルチキャスト宛先アドレスとを保持し、判断モジュール２３は、マルチキャスト宛先アドレスが受信デバイスのグループ識別子と一致するか否かを判断するよう構成され、送信モジュール２２は、判断モジュール２３が、マルチキャスト宛先アドレスが受信デバイスのグループ識別子と一致すると判断した場合、ＲＬＣ層に、ＭＡＣ  ＰＤＵに対応するＭＡＣ  ＳＤＵを送信するよう具体的に構成される。
【００９４】
図１７を参照すると、選択的に、本発明の実施形態では、受信デバイスは、ソーティングモジュール２４をさらに備え、受信モジュール２１は、ＭＡＣ  ＰＤＵを受信するよう具体的に構成され、ここで、セグメンテーションビット、シリアルナンバービット、又はコンカチネーションビットが、ＭＡＣ  ＰＤＵのパケットヘッダに追加され、セグメンテーションビットは、ＭＡＣ  ＳＤＵが、ＲＬＣ  ＰＤＵをセグメント化することによって取得されたことを示し、シリアルナンバービットは、ＲＬＣ  ＰＤＵにおけるＭＡＣ  ＳＤＵの位置を示し、コンカチネーションビットは、ＭＡＣ  ＳＤＵの後に別のＭＡＣ  ＳＤＵがまだ存在しているか否かを示し、ソーティングモジュール２４は、シリアルナンバービットに従って、同じＲＬＣ  ＰＤＵをセグメント化することによって取得された、複数のＭＡＣ  ＰＤＵに含まれる複数のＭＡＣ  ＳＤＵをソーティングするよう構成され、送信モジュール２２は、ＲＬＣ層に、ソーティングモジュール２４によりソーティングされた複数のＭＡＣ  ＳＤＵを送信するよう具体的に構成される。
【００９５】
選択的に、本発明の実施形態では、送信モジュール２２は、ＭＡＣ  ＰＤＵのパケットヘッダにおいて保持される論理チャンネル識別子に従って、論理チャンネル識別子に対応し、かつ、ＲＬＣ層における論理チャンネルに、ＭＡＣ  ＰＤＵに含まれるＭＡＣ  ＳＤＵを送信するよう具体的に構成される。
【００９６】
図１８は、本発明に係る伝送デバイスの実施形態３の概略構造図である。図１８に示されているように、この実施形態において提供されている伝送デバイス３００が、プロセッサ３１とメモリ３２とを備える。伝送デバイス３００は、トランスミッタ３３と受信機３４とをさらに備え得る。トランスミッタ３３と受信機３４とは、プロセッサ３１に接続され得る。トランスミッタ３３は、データ又は情報を送信するよう構成される。受信機３４は、データ又は情報を受信するよう構成される。メモリ３２は、実行命令を格納する。伝送デバイス３００が動作している場合、プロセッサ３１は、メモリ３２と通信し、プロセッサ３１は、メモリ３２における実行命令を呼び出し、図２に示されている方法の実施形態を実行する。それらの複数の実施原理及び複数の技術的効果は同様であり、複数の詳細について、ここでは説明されない。
【００９７】
図１９は、本発明に係る受信デバイスの実施形態３の概略構造図である。図１９に示されているように、この実施形態において提供される受信デバイス４００が、プロセッサ４１とメモリ４２とを備える。受信デバイス４００は、トランスミッタ４３と受信機４４とをさらに備え得る。トランスミッタ４３と受信機４４とはプロセッサ４１に接続され得る。トランスミッタ４３は、データ又は情報を送信するよう構成される。受信機４４は、データ又は情報を受信するよう構成される。メモリ４２は、実行命令を格納する。受信デバイス４００が動作している場合、プロセッサ４１は、メモリ４２と通信し、プロセッサ４１は、メモリ４２における実行命令を呼び出し、図５に示されている方法の実施形態を実行する。それらの複数の実施原理及び複数の技術的効果は同様であり、複数の詳細について、ここでは、説明されない。
【００９８】
当業者であれば、複数の方法の実施形態の複数の段階の全て又は一部が、関連ハードウェアを命令するプログラムにより実装され得ることを理解し得る。プログラムは、コンピュータ可読記憶媒体に格納され得る。プログラムが実行されている場合、複数の方法の実施形態の複数の段階が実行される。先述の記憶媒体は、ＲＯＭ、ＲＡＭ，磁気ディスク、又は光ディスなど、プログラムコードを格納することができる任意の媒体を含む。
【００９９】
最後に、複数の先述の実施形態は単に、本発明の複数の技術的解決手段を説明することを意図しており、本発明を制限することを意図していないことが、留意されるべきである。本発明は複数の先述の実施形態に関連して詳細に説明されているが、当業者はそれでも、本発明の複数の実施形態の複数の技術的解決手段の範囲から逸脱することなく、複数の先述の実施形態において説明されている複数の技術的解決手段に対して複数の変更例を作成し得、又は、それらの一部又は全ての技術特徴に対して同等の複数の置換例を作成し得ることを理解するべきである。
【図１】
2017515382.tif 000003
【図２】
2017515382.tif 000004
【図３】
2017515382.tif 000005
【図４】
2017515382.tif 000006
【図５】
2017515382.tif 000007
【図６】
2017515382.tif 000008
【図７Ａ】
2017515382.tif 000009
【図７Ｂ】
2017515382.tif 000010
【図７Ｃ】
2017515382.tif 000011
【図８】
2017515382.tif 000012
【図９】
2017515382.tif 000013
【図１０】
2017515382.tif 000014
【図１１】
2017515382.tif 000015
【図１２Ａ】
2017515382.tif 000016
【図１２Ｂ】
2017515382.tif 000017
【図１３Ａ】
2017515382.tif 000018
【図１３Ｂ】
2017515382.tif 000019
【図１３Ｃ】
2017515382.tif 000020
【図１４】
2017515382.tif 000021
【図１５】
2017515382.tif 000022
【図１６】
2017515382.tif 000023
【図１７】
2017515382.tif 000024
【図１８】
2017515382.tif 000025
【図１９】
2017515382.tif 000026
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
データ伝送方法であって、
伝送デバイスにより、メディアアクセス制御層サービスデータユニット、ＭＡＣ  ＳＤＵの送信方式を前記ＭＡＣ  ＳＤＵの論理チャンネル種類に従って設定する段階と、
前記伝送デバイスにより、前記送信方式に従って、前記ＭＡＣ  ＳＤＵから取得されたメディアアクセス制御層プロトコルデータユニット、ＭＡＣ  ＰＤＵを送信する段階と
を備える
方法。
【請求項２】
伝送デバイスにより、ＭＡＣ  ＳＤＵの送信方式を前記ＭＡＣ  ＳＤＵの論理チャンネル種類に従って設定する前記段階は、前記ＭＡＣ  ＳＤＵの前記論理チャンネル種類がブロードキャスト型である場合、前記ＭＡＣ  ＳＤＵの前記送信方式をブロードキャスト送信方式に設定するように、前記ＭＡＣ  ＰＤＵのパケットヘッダに、ブロードキャスト・モード・インディケータ・ビットを追加する段階を含む、請求項１に記載の方法。
【請求項３】
伝送デバイスにより、ＭＡＣ  ＳＤＵの送信方式を前記ＭＡＣ  ＳＤＵの論理チャンネル種類に従って設定する前記段階は、前記ＭＡＣ  ＳＤＵの前記論理チャンネル種類がユニキャスト型である場合、前記ＭＡＣ  ＳＤＵの前記送信方式をユニキャスト送信方式に設定するように、前記ＭＡＣ  ＰＤＵのパケットヘッダに、ユニキャスト・モード・インディケータ・ビットと、前記伝送デバイスの識別子と、ユニキャスト宛先アドレスとを追加する段階を含む、請求項１に記載の方法。
【請求項４】
伝送デバイスにより、ＭＡＣ  ＳＤＵの送信方式を前記ＭＡＣ  ＳＤＵの論理チャンネル種類に従って設定する前記段階は、前記ＭＡＣ  ＳＤＵの前記論理チャンネル種類がマルチキャスト型である場合、前記ＭＡＣ  ＳＤＵの前記送信方式をマルチキャスト送信方式に設定するように、前記ＭＡＣ  ＰＤＵのパケットヘッダに、マルチキャスト・モード・インディケータ・ビットと、前記伝送デバイスの識別子と、マルチキャスト宛先アドレスとを追加する段階を含む、請求項１に記載の方法。
【請求項５】
前記ＭＡＣ  ＳＤＵが、前記伝送デバイスの無線リンク制御層プロトコルデータユニットＲＬＣ  ＰＤＵをセグメント化することによって取得された場合、前記方法は、前記伝送デバイスにより、前記ＭＡＣ  ＰＤＵの前記パケットヘッダに、セグメンテーションビット、シリアルナンバービット、又はコンカチネーションビットを追加する段階をさらに備え、
前記セグメンテーションビットは、前記ＭＡＣ  ＳＤＵが前記ＲＬＣ  ＰＤＵをセグメント化することによって取得されたことを示し、前記シリアルナンバービットは、前記ＲＬＣ  ＰＤＵにおける前記ＭＡＣ  ＳＤＵの位置を示し、前記コンカチネーションビットは、前記ＭＡＣ  ＳＤＵの後に別のＭＡＣ  ＳＤＵがまだ存在しているか否かを示す、
請求項２から４の何れか一項に記載の方法。
【請求項６】
データ伝送方法であって、
受信デバイスにより、伝送デバイスにより送信されたメディアアクセス制御層プロトコルデータユニット、ＭＡＣ  ＰＤＵを受信する段階であって、前記ＭＡＣ  ＰＤＵは、前記伝送デバイスによりメディアアクセス制御層サービスデータユニット、ＭＡＣ  ＳＤＵの論理チャンネル種類に従って設定された送信方式で送信される、段階と、
前記受信デバイスにより、前記伝送デバイスに対応するキャッシュエンティティに、前記ＭＡＣ  ＰＤＵを送信する段階と、
前記受信デバイスにより、無線リンク制御ＲＬＣ層に、前記キャッシュエンティティにおける前記ＭＡＣ  ＰＤＵに含まれる前記ＭＡＣ  ＳＤＵを送信する段階と
を備える
方法。
【請求項７】
受信デバイスにより、伝送デバイスにより送信されたＭＡＣ  ＰＤＵを受信する前記段階は、前記受信デバイスにより、ブロードキャスト送信方式で前記伝送デバイスにより送信された前記ＭＡＣ  ＰＤＵを受信する段階を含む、請求項６に記載の方法。
【請求項８】
受信デバイスにより、伝送デバイスにより送信されたＭＡＣ  ＰＤＵを受信する前記段階は、前記受信デバイスにより、ユニキャスト送信方式で前記伝送デバイスにより送信された前記ＭＡＣ  ＰＤＵを受信する段階であって、前記ＭＡＣ  ＰＤＵのパケットヘッダが、ユニキャスト・モード・インディケータ・ビットと、前記伝送デバイスの識別子と、ユニキャスト宛先アドレスとを保持する、段階を含み、
前記受信デバイスにより、ＲＬＣ層に、前記キャッシュエンティティにおける前記ＭＡＣ  ＰＤＵに含まれる前記ＭＡＣ  ＳＤＵを送信する前記段階は、前記受信デバイスにより、前記ユニキャスト宛先アドレスが前記受信デバイスの識別子と一致するか否かを判断し、前記ユニキャスト宛先アドレスが前記受信デバイスの前記識別子と一致する場合、前記ＲＬＣ層に、前記ＭＡＣ  ＰＤＵに対応する前記ＭＡＣ  ＳＤＵを送信する段階を含む、
請求項６に記載の方法。
【請求項９】
受信デバイスにより、伝送デバイスにより送信されたＭＡＣ  ＰＤＵを受信する前記段階は、前記受信デバイスにより、マルチキャスト送信方式で前記伝送デバイスにより送信された前記ＭＡＣ  ＰＤＵを受信する段階であって、前記ＭＡＣ  ＰＤＵのパケットヘッダが、マルチキャスト・モード・インディケータ・ビットと、前記伝送デバイスの識別子と、マルチキャスト宛先アドレスとを保持する、段階を含み、
前記受信デバイスにより、ＲＬＣ層に、前記キャッシュエンティティにおける前記ＭＡＣ  ＰＤＵに含まれる前記ＭＡＣ  ＳＤＵを送信する前記段階は、前記受信デバイスにより、前記マルチキャスト宛先アドレスが前記受信デバイスのグループ識別子と一致するか否かを判断し、前記マルチキャスト宛先アドレスが前記受信デバイスの前記グループ識別子と一致する場合、前記ＲＬＣ層に、前記ＭＡＣ  ＰＤＵに対応する前記ＭＡＣ  ＳＤＵを送信する段階を含む、
請求項６に記載の方法。
【請求項１０】
前記ＭＡＣ  ＰＤＵが前記伝送デバイスの無線リンク制御層プロトコルデータユニットＲＬＣ  ＰＤＵをセグメント化することによって取得された場合、受信デバイスにより、伝送デバイスにより送信されたＭＡＣ  ＰＤＵを受信する前記段階は、前記受信デバイスにより、前記ＭＡＣ  ＰＤＵを受信する段階であって、セグメンテーションビット、シリアルナンバービット、又はコンカチネーションビットが、前記ＭＡＣ  ＰＤＵの前記パケットヘッダに追加され、前記セグメンテーションビットは、前記ＭＡＣ  ＳＤＵが前記ＲＬＣ  ＰＤＵをセグメント化することによって取得されたことを示し、前記シリアルナンバービットは、前記ＲＬＣ  ＰＤＵにおける前記ＭＡＣ  ＳＤＵの位置を示し、前記コンカチネーションビットは、前記ＭＡＣ  ＳＤＵの後に別のＭＡＣ  ＳＤＵがまだ存在しているか否かを示す、段階を含み、
前記受信デバイスにより、ＲＬＣ層に、前記キャッシュエンティティにおける前記ＭＡＣ  ＰＤＵに含まれる前記ＭＡＣ  ＳＤＵを送信する前記段階の前に、前記方法は、
前記受信デバイスにより、同じＲＬＣ  ＰＤＵをセグメント化することによって取得された、複数のＭＡＣ  ＰＤＵに含まれる複数のＭＡＣ  ＳＤＵを前記シリアルナンバービットに従ってソーティングし、前記ＲＬＣ層に、ソーティングされた前記複数のＭＡＣ  ＳＤＵを送信する段階を備える
請求項８又は９に記載の方法。
【請求項１１】
メディアアクセス制御層サービスデータユニット、ＭＡＣ  ＳＤＵの送信方式を前記ＭＡＣ  ＳＤＵの論理チャンネル種類に従って設定するよう構成される設定モジュールと、
前記設定モジュールにより設定された前記送信方式に従って、前記ＭＡＣ  ＳＤＵから取得されたメディアアクセス制御層プロトコルデータユニット、ＭＡＣ  ＰＤＵを送信するよう構成される送信モジュールと
を備える
伝送デバイス。
【請求項１２】
前記設定モジュールは、前記ＭＡＣ  ＳＤＵの前記論理チャンネル種類がブロードキャスト型である場合、前記ＭＡＣ  ＳＤＵの前記送信方式をブロードキャスト送信方式に設定するように、前記ＭＡＣ  ＰＤＵのパケットヘッダに、ブロードキャスト・モード・インディケータ・ビットを追加するよう具体的に構成される、請求項１１に記載の伝送デバイス。
【請求項１３】
前記設定モジュールは、前記ＭＡＣ  ＳＤＵの前記論理チャンネル種類がユニキャスト型である場合、前記ＭＡＣ  ＳＤＵの前記送信方式をユニキャスト送信方式に設定するように、前記ＭＡＣ  ＰＤＵのパケットヘッダに、ユニキャスト・モード・インディケータ・ビットと、前記伝送デバイスの識別子と、ユニキャスト宛先アドレスとを追加するよう具体的に構成される、請求項１１に記載の伝送デバイス。
【請求項１４】
前記設定モジュールは、前記ＭＡＣ  ＳＤＵの前記論理チャンネル種類がマルチキャスト型である場合、前記ＭＡＣ  ＳＤＵの前記送信方式をマルチキャスト送信方式に設定するように、前記ＭＡＣ  ＰＤＵのパケットヘッダに、マルチキャスト・モード・インディケータ・ビットと、前記伝送デバイスの識別子と、マルチキャスト宛先アドレスとを追加するよう具体的に構成される、請求項１１に記載の伝送デバイス。
【請求項１５】
前記ＭＡＣ  ＳＤＵが、前記伝送デバイスの無線リンク制御層プロトコルデータユニットＲＬＣ  ＰＤＵをセグメント化することによって取得された場合、前記ＭＡＣ  ＰＤＵの前記パケットヘッダに、セグメンテーションビット、シリアルナンバービット、又はコンカチネーションビットを追加するよう構成される追加モジュールをさらに備え、前記セグメンテーションビットは、前記ＭＡＣ  ＳＤＵが前記ＲＬＣ  ＰＤＵをセグメント化することによって取得されたことを示し、前記シリアルナンバービットは、前記ＲＬＣ  ＰＤＵにおける前記ＭＡＣ  ＳＤＵの位置を示し、前記コンカチネーションビットは、前記ＭＡＣ  ＳＤＵの後に別のＭＡＣ  ＳＤＵがまだ存在しているか否かを示す、請求項１２から１４の何れか一項に記載の伝送デバイス。
【手続補正２】
【補正対象書類名】明細書
【補正対象項目名】０００２
【補正方法】変更
【補正の内容】
【０００２】
現在、セルラ移動通信システムにおいて、従来の通信方式が、主に２つの移動端末の間の通信のために用いられる。この方式では、互いに通信する必要のある２つの端末は、基地局による転送を用いて通信する。火事などの公共安全事件が発生した後、レスキュー隊が、特定の領域において指揮チームと通信し、大量のビデオストリームなどが、複数の異なるグループの複数の移動端末の間で伝送される必要がある。基地局の輻輳により引き起こされる救援の失敗を回避するために、通信端末デバイスツーデバイス（Ｄ２Ｄ）技術が導入されている。
【手続補正３】
【補正対象書類名】明細書
【補正対象項目名】０００４
【補正方法】変更
【補正の内容】
【０００４】
しかしながら、デバイスツーデバイス方式では、複数の送信機が１つの受信機にデータを同時に送信するシナリオが存在し得る。例えば、レスキュー隊の複数のメンバーが、指揮チームの１つのメンバーに、データを同時に送信する。この場合、移動端末のメディアアクセス制御（ＭＡＣ）層は、１つの伝送デバイスからのデータしか処理できないので、データ伝送が失敗する。
【手続補正４】
【補正対象書類名】明細書
【補正対象項目名】００３４
【補正方法】変更
【補正の内容】
【００３４】
本発明の複数の実施形態の複数の目的、複数の技術的解決手段、及び複数の利点をより明確にするために、以下にて、本発明の複数の実施形態に添付の複数の図面を参照し、本発明の複数の実施形態における複数の技術的解決手段を明確に説明する。説明される複数の実施形態は、本発明の複数の実施形態の一部であって、全てではないことは明らかである。当業者により本発明の複数の実施形態に基づいて創造的な努力なしで取得される他の全ての実施形態が、本発明の保護範囲内に含まれるべきである。
【手続補正５】
【補正対象書類名】明細書
【補正対象項目名】００３５
【補正方法】変更
【補正の内容】
【００３５】
本発明の複数の実施形態では、移動端末が、従来のセルラ通信及び端末デバイスツーデバイス通信の両方を実行することができるセルラデバイスツーデバイス端末である。以下にて、説明を明確にするために、データを送信するセルラデバイスツーデバイス端末が、伝送デバイスと称され、データを受信するセルラデバイスツーデバイス端末が、受信デバイスと称される。Ｄ２Ｄ通信処理において、伝送デバイス及び受信デバイスのユーザ・プレーン・プロトコル・スタックが図１に示されている。図１は、本発明に係るデータ伝送方法におけるユーザ・プレーン・プロトコル・スタックの模式図である。図１に示されているように、ユーザ・プレーン・プロトコル・スタックは、上から下の順で、パケット・データ・コンバージェンス・プロトコル（ＰＤＣＰ）層と、無線リンク制御（ＲＬＣ）層と、メディアアクセス制御（ＭＡＣ）層と、物理（ＰＨＹ）層とを含む。本発明に係るデータ伝送方法は、以下にて、このユーザ・プレーン・プロトコル・スタックに従って、詳細に説明される。
【手続補正６】
【補正対象書類名】明細書
【補正対象項目名】００３８
【補正方法】変更
【補正の内容】
【００３８】
概して、各移動端末は、ＭＡＣエンティティを有する。伝送デバイスのＭＡＣエンティティが、トランスポートチャンネルへの論理チャンネルのマッピングを実行することができ、マッピングされた後、各トランスポートチャンネルは、異なる論理チャンネルに対応する。論理チャンネル（ＬＣＨ）は、複数のデータフローを区別するように、複数の異なるサービスの複数のデータフローを分類することによって取得され、ブロードキャスト制御チャンネル（ＢＣＣＨ）と、物理制御チャンネル（ＰＣＣＨ）と、マルチキャスト制御チャンネル（ＭＣＣＨ）と、マルチキャストトラフィックチャンネル（ＭＴＣＨ）と、共通制御チャンネル（ＣＣＣＨ）と、専用制御チャンネル（ＤＣＣＨ）などとを含む。トランスポートチャンネルは、ブロードキャストチャンネル（ＢＣＨ）と、ダウンリンク共有チャンネル（ＤＬ‐ＳＣＨ）と、ページングチャンネル（ＰＣＨ）と、アップリンク共有チャンネル（ＵＬ‐ＳＣＨ）と、ランダムアクセスチャンネル（ＲＡＣＨ）と、マルチキャストチャンネル（ＭＣＨ）などとを含む。マッピングされた後、ＰＣＣＨは、ＰＣＨに対応し、ＭＣＣＨ及びＭＴＣＨは、ＭＣＨに対応する。
【手続補正７】
【補正対象書類名】明細書
【補正対象項目名】００４５
【補正方法】変更
【補正の内容】
【００４５】
図３に示されているように、ＬＣＨ１、ＬＣＨ２、及びＬＣＨ３の複数のＭＡＣ  ＳＤＵが、論理チャンネル優先処理、多重化、及びパケットヘッダ処理の後に、Ｄ２Ｄ  ＳＣＨにマッピングされ、アップリンク制御チャンネル（ＵＣＣＨ）が、用いることによって伝送デバイスが無線グループに加入する論理チャンネルであり、そのアップリンク制御チャンネルに対応するトランスポートチャンネルが、Ｄ２Ｄ  ＰＲＡＣＨであり、グループ・アナウンスメント・チャンネル（ＧＡＣＨ）に対応するトランスポートチャンネルが、Ｄ２Ｄ  ＧＡＣＨである。
【手続補正８】
【補正対象書類名】明細書
【補正対象項目名】００４６
【補正方法】変更
【補正の内容】
【００４６】
概して、公共事件において複数の移動端末が、複数の異なる無線グループに属し、例えば、レスキュー隊又は指揮チームに属してよく、若しくは複数の異なるレスキュー隊に属してよい。同じ無線グループに属する複数の移動端末のうち少なくとも１つが、グループヘッドノードであり、残りの複数の移動端末が、グループメンバーノードである。図３を参照すると、伝送デバイスがグループヘッドノードである場合、伝送デバイスのＲＬＣ層エンティティが、ＧＡＣＨ論理チャンネルを有する。論理チャンネルについての情報が、ＰＨＹ層に、ＭＡＣ層において透過的に伝送され、グループヘッドノードは、ＧＡＣＨを用いて「グループ・アナウンスメント」情報を定期的に送信し、これにより、グループヘッドノードのカバレッジ領域内の別のノードが、グループヘッドノードの存在を知り、このグループに加入する。加えて、グループヘッドノードは、複数の限定された無線リソースをより良く利用し、干渉及び衝突を回避するべく、別のグループメンバーノードのデータ送信をさらにスケジューリングし得る。伝送デバイスがグループメンバーノードである場合、伝送デバイスが無線グループのメンバーになるように、伝送デバイスは、ＵＣＣＨを用いて、グループヘッドノードに、初期アクセス要求を送信し得る。移動端末は、少なくとも２つの無線グループに加入してよく、従って、伝送デバイスは、いくつかの無線グループのグループヘッドノードであってよく、かつ、同時に、伝送デバイスは、別の無線グループのグループメンバーノードであってよいことが、留意されるべきである。
【手続補正９】
【補正対象書類名】明細書
【補正対象項目名】００７９
【補正方法】変更
【補正の内容】
【００７９】
図１２Ａ及び図１２Ｂの両方を参照すると、伝送デバイスにより送信された２つのデータパケットの複数のパケットヘッダ形式がそれぞれ、図１２Ａ及び図１２Ｂに示されている通りと仮定し、その２つのパケットヘッダは、伝送デバイスの同じ識別子、すなわち、共通パケットヘッダを含むが、複数の異なるサブパケットヘッダを含み、すなわち、図１２Ａの第２のバイトは、図１２Ｂの第２のバイトから第６のバイトまでのバイトと異なる。
【手続補正１０】
【補正対象書類名】明細書
【補正対象項目名】００９９
【補正方法】変更
【補正の内容】
【００９９】
最後に、複数の先述の実施形態は単に、本発明の複数の技術的解決手段を説明することを意図しており、本発明を制限することを意図していないことが、留意されるべきである。本発明は複数の先述の実施形態に関連して詳細に説明されているが、当業者はそれでも、本発明の複数の実施形態の複数の技術的解決手段の範囲から逸脱することなく、複数の先述の実施形態において説明されている複数の技術的解決手段に対して複数の変更例を作成し得、又は、それらの一部又は全ての技術特徴に対して同等の複数の置換例を作成し得ることを理解するべきである。
（項目１）
データ伝送方法であって、
伝送デバイスにより、メディアアクセス制御層サービスデータユニットＭＡＣ  ＳＤＵの送信方式を上記ＭＡＣ  ＳＤＵの論理チャンネル種類に従って設定する段階と、
上記伝送デバイスにより、上記送信方式に従って、上記ＭＡＣ  ＳＤＵから取得されたメディアアクセス制御層プロトコルデータユニットＭＡＣ  ＰＤＵを送信する段階と
を備える
方法。
（項目２）
伝送デバイスにより、ＭＡＣ  ＳＤＵの送信方式を上記ＭＡＣ  ＳＤＵの論理チャンネル種類に従って設定する上記段階は、上記ＭＡＣ  ＳＤＵの上記論理チャンネル種類がブロードキャスト型である場合、上記ＭＡＣ  ＳＤＵの上記送信方式をブロードキャスト送信方式に設定するように、上記ＭＡＣ  ＰＤＵのパケットヘッダに、ブロードキャスト・モード・インディケータ・ビットを追加する段階を含む、項目１に記載の方法。
（項目３）
伝送デバイスにより、ＭＡＣ  ＳＤＵの送信方式を上記ＭＡＣ  ＳＤＵの論理チャンネル種類に従って設定する上記段階は、上記ＭＡＣ  ＳＤＵの上記論理チャンネル種類がユニキャスト型である場合、上記ＭＡＣ  ＳＤＵの上記送信方式をユニキャスト送信方式に設定するように、上記ＭＡＣ  ＰＤＵのパケットヘッダに、ユニキャスト・モード・インディケータ・ビットと、上記伝送デバイスの識別子と、ユニキャスト宛先アドレスとを追加する段階を含む、項目１に記載の方法。
（項目４）
伝送デバイスにより、ＭＡＣ  ＳＤＵの送信方式を上記ＭＡＣ  ＳＤＵの論理チャンネル種類に従って設定する上記段階は、上記ＭＡＣ  ＳＤＵの上記論理チャンネル種類がマルチキャスト型である場合、上記ＭＡＣ  ＳＤＵの上記送信方式をマルチキャスト送信方式に設定するように、上記ＭＡＣ  ＰＤＵのパケットヘッダに、マルチキャスト・モード・インディケータ・ビットと、上記伝送デバイスの識別子と、マルチキャスト宛先アドレスとを追加する段階を含む、項目１に記載の方法。
（項目５）
上記ＭＡＣ  ＳＤＵが、上記伝送デバイスの無線リンク制御層プロトコルデータユニットＲＬＣ  ＰＤＵをセグメント化することによって取得された場合、上記方法は、上記伝送デバイスにより、上記ＭＡＣ  ＰＤＵの上記パケットヘッダに、セグメンテーションビット、シリアルナンバービット、又はコンカチネーションビットを追加する段階をさらに備え、
上記セグメンテーションビットは、上記ＭＡＣ  ＳＤＵが上記ＲＬＣ  ＰＤＵをセグメント化することによって取得されたことを示し、上記シリアルナンバービットは、上記ＲＬＣ  ＰＤＵにおける上記ＭＡＣ  ＳＤＵの位置を示し、上記コンカチネーションビットは、上記ＭＡＣ  ＳＤＵの後に別のＭＡＣ  ＳＤＵがまだ存在しているか否かを示す、
項目１から４の何れか一項に記載の方法。
（項目６）
上記ＭＡＣ  ＰＤＵの上記パケットヘッダは、論理チャンネル識別子をさらに保持する、項目１から５の何れか一項に記載の方法。
（項目７）
データ伝送方法であって、
受信デバイスにより、伝送デバイスにより送信されたメディアアクセス制御層プロトコルデータユニットＭＡＣ  ＰＤＵを受信する段階であって、上記ＭＡＣ  ＰＤＵは、上記伝送デバイスによりメディアアクセス制御層サービスデータユニットＭＡＣ  ＳＤＵの論理チャンネル種類に従って設定された送信方式で送信される、段階と、
上記受信デバイスにより、上記伝送デバイスに対応するキャッシュエンティティに、上記ＭＡＣ  ＰＤＵを送信する段階と、
上記受信デバイスにより、無線リンク制御ＲＬＣ層に、上記キャッシュエンティティにおける上記ＭＡＣ  ＰＤＵに含まれる上記ＭＡＣ  ＳＤＵを送信する段階と
を備える
方法。
（項目８）
受信デバイスにより、伝送デバイスにより送信されたＭＡＣ  ＰＤＵを受信する上記段階は、上記受信デバイスにより、ブロードキャスト送信方式で上記伝送デバイスにより送信された上記ＭＡＣ  ＰＤＵを受信する段階を含む、項目７に記載の方法。
（項目９）
受信デバイスにより、伝送デバイスにより送信されたＭＡＣ  ＰＤＵを受信する上記段階は、上記受信デバイスにより、ユニキャスト送信方式で上記伝送デバイスにより送信された上記ＭＡＣ  ＰＤＵを受信する段階であって、上記ＭＡＣ  ＰＤＵのパケットヘッダが、ユニキャスト・モード・インディケータ・ビットと、上記伝送デバイスの識別子と、ユニキャスト宛先アドレスとを保持する、段階を含み、
上記受信デバイスにより、ＲＬＣ層に、上記キャッシュエンティティにおける上記ＭＡＣ  ＰＤＵに含まれる上記ＭＡＣ  ＳＤＵを送信する上記段階は、上記受信デバイスにより、上記ユニキャスト宛先アドレスが上記受信デバイスの識別子と一致するか否かを判断し、上記ユニキャスト宛先アドレスが上記受信デバイスの上記識別子と一致する場合、上記ＲＬＣ層に、上記ＭＡＣ  ＰＤＵに対応する上記ＭＡＣ  ＳＤＵを送信する段階を含む、
項目７に記載の方法。
（項目１０）
受信デバイスにより、伝送デバイスにより送信されたＭＡＣ  ＰＤＵを受信する上記段階は、上記受信デバイスにより、マルチキャスト送信方式で上記伝送デバイスにより送信された上記ＭＡＣ  ＰＤＵを受信する段階であって、上記ＭＡＣ  ＰＤＵのパケットヘッダが、マルチキャスト・モード・インディケータ・ビットと、上記伝送デバイスの識別子と、マルチキャスト宛先アドレスとを保持する、段階を含み、
上記受信デバイスにより、ＲＬＣ層に、上記キャッシュエンティティにおける上記ＭＡＣ  ＰＤＵに含まれる上記ＭＡＣ  ＳＤＵを送信する上記段階は、上記受信デバイスにより、上記マルチキャスト宛先アドレスが上記受信デバイスのグループ識別子と一致するか否かを判断し、上記マルチキャスト宛先アドレスが上記受信デバイスの上記グループ識別子と一致する場合、上記ＲＬＣ層に、上記ＭＡＣ  ＰＤＵに対応する上記ＭＡＣ  ＳＤＵを送信する段階を含む、
項目７に記載の方法。
（項目１１）
上記ＭＡＣ  ＰＤＵが上記伝送デバイスの無線リンク制御層プロトコルデータユニットＲＬＣ  ＰＤＵをセグメント化することによって取得された場合、受信デバイスにより、伝送デバイスにより送信されたＭＡＣ  ＰＤＵを受信する上記段階は、上記受信デバイスにより、上記ＭＡＣ  ＰＤＵを受信する段階であって、セグメンテーションビット、シリアルナンバービット、又はコンカチネーションビットが、上記ＭＡＣ  ＰＤＵの上記パケットヘッダに追加され、上記セグメンテーションビットは、上記ＭＡＣ  ＳＤＵが上記ＲＬＣ  ＰＤＵをセグメント化することによって取得されたことを示し、上記シリアルナンバービットは、上記ＲＬＣ  ＰＤＵにおける上記ＭＡＣ  ＳＤＵの位置を示し、上記コンカチネーションビットは、上記ＭＡＣ  ＳＤＵの後に別のＭＡＣ  ＳＤＵがまだ存在しているか否かを示す、段階を含み、
上記受信デバイスにより、ＲＬＣ層に、上記キャッシュエンティティにおける上記ＭＡＣ  ＰＤＵに含まれる上記ＭＡＣ  ＳＤＵを送信する上記段階の前に、上記方法は、
上記受信デバイスにより、同じＲＬＣ  ＰＤＵをセグメント化することによって取得された、複数のＭＡＣ  ＰＤＵに含まれる複数のＭＡＣ  ＳＤＵを上記シリアルナンバービットに従ってソーティングし、上記ＲＬＣ層に、ソーティングされた上記複数のＭＡＣ  ＳＤＵを送信する段階を備える
項目７から１０の何れか一項に記載の方法。
（項目１２）
上記受信デバイスにより、ＲＬＣ層に、上記キャッシュエンティティにおける上記ＭＡＣ  ＰＤＵに含まれる上記ＭＡＣ  ＳＤＵを送信する上記段階は、上記受信デバイスにより、上記ＭＡＣ  ＰＤＵの上記パケットヘッダにおいて保持される論理チャンネル識別子に従って、上記論理チャンネル識別子に対応し、かつ、上記ＲＬＣ層に存在する論理チャンネルに、上記ＭＡＣ  ＰＤＵに含まれる上記ＭＡＣ  ＳＤＵを送信する段階を含む、項目７から１１の何れか一項に記載の方法。
（項目１３）
メディアアクセス制御層サービスデータユニットＭＡＣ  ＳＤＵの送信方式を上記ＭＡＣ  ＳＤＵの論理チャンネル種類に従って設定するよう構成される設定モジュールと、
上記設定モジュールにより設定された上記送信方式に従って、上記ＭＡＣ  ＳＤＵから取得されたメディアアクセス制御層プロトコルデータユニットＭＡＣ  ＰＤＵを送信するよう構成される送信モジュールと
を備える
伝送デバイス。
（項目１４）
上記設定モジュールは、上記ＭＡＣ  ＳＤＵの上記論理チャンネル種類がブロードキャスト型である場合、上記ＭＡＣ  ＳＤＵの上記送信方式をブロードキャスト送信方式に設定するように、上記ＭＡＣ  ＰＤＵのパケットヘッダに、ブロードキャスト・モード・インディケータ・ビットを追加するよう具体的に構成される、項目１３に記載の伝送デバイス。
（項目１５）
上記設定モジュールは、上記ＭＡＣ  ＳＤＵの上記論理チャンネル種類がユニキャスト型である場合、上記ＭＡＣ  ＳＤＵの上記送信方式をユニキャスト送信方式に設定するように、上記ＭＡＣ  ＰＤＵのパケットヘッダに、ユニキャスト・モード・インディケータ・ビットと、上記伝送デバイスの識別子と、ユニキャスト宛先アドレスとを追加するよう具体的に構成される、項目１３に記載の伝送デバイス。
（項目１６）
上記設定モジュールは、上記ＭＡＣ  ＳＤＵの上記論理チャンネル種類がマルチキャスト型である場合、上記ＭＡＣ  ＳＤＵの上記送信方式をマルチキャスト送信方式に設定するように、上記ＭＡＣ  ＰＤＵのパケットヘッダに、マルチキャスト・モード・インディケータ・ビットと、上記伝送デバイスの識別子と、マルチキャスト宛先アドレスとを追加するよう具体的に構成される、項目１３に記載の伝送デバイス。
（項目１７）
上記ＭＡＣ  ＳＤＵが、上記伝送デバイスの無線リンク制御層プロトコルデータユニットＲＬＣ  ＰＤＵをセグメント化することによって取得された場合、上記ＭＡＣ  ＰＤＵの上記パケットヘッダに、セグメンテーションビット、シリアルナンバービット、又はコンカチネーションビットを追加するよう構成される追加モジュールをさらに備え、上記セグメンテーションビットは、上記ＭＡＣ  ＳＤＵが上記ＲＬＣ  ＰＤＵをセグメント化することによって取得されたことを示し、上記シリアルナンバービットは、上記ＲＬＣ  ＰＤＵにおける上記ＭＡＣ  ＳＤＵの位置を示し、上記コンカチネーションビットは、上記ＭＡＣ  ＳＤＵの後に別のＭＡＣ  ＳＤＵがまだ存在しているか否かを示す、項目１３から１６の何れか一項に記載の伝送デバイス。
（項目１８）
上記ＭＡＣ  ＰＤＵの上記パケットヘッダは、論理チャンネル識別子をさらに保持する、項目１３から１７の何れか一項に記載の伝送デバイス。
（項目１９）
伝送デバイスにより送信されるメディアアクセス制御層プロトコルデータユニットＭＡＣ  ＰＤＵを受信するよう構成される受信モジュールであって、上記ＭＡＣ  ＰＤＵは、メディアアクセス制御層サービスデータユニットＭＡＣ  ＳＤＵの論理チャンネル種類に従って上記伝送デバイスにより設定された送信方式で送信される、受信モジュールと、
上記伝送デバイスに対応するキャッシュエンティティに、上記受信モジュールにより受信された上記ＭＡＣ  ＰＤＵを送信し、次に、無線リンク制御ＲＬＣ層に、上記キャッシュエンティティにおける上記ＭＡＣ  ＰＤＵに含まれる上記ＭＡＣ  ＳＤＵを送信するよう構成される送信モジュールと
を備える
受信デバイス。
（項目２０）
上記受信モジュールは、ブロードキャスト送信方式で上記伝送デバイスにより送信された上記ＭＡＣ  ＰＤＵを受信するよう具体的に構成される、項目１９に記載の受信デバイス。
（項目２１）
判断モジュールをさらに備え、
上記受信モジュールは、ユニキャスト送信方式で上記伝送デバイスにより送信された上記ＭＡＣ  ＰＤＵを受信するよう具体的に構成され、上記ＭＡＣ  ＰＤＵのパケットヘッダが、ユニキャスト・モード・インディケータ・ビットと、上記伝送デバイスの識別子と、ユニキャスト宛先アドレスとを保持し、
上記判断モジュールは、上記ユニキャスト宛先アドレスが上記受信デバイスの識別子と一致するか否かを判断するよう構成され、
上記送信モジュールは、上記判断モジュールが、上記ユニキャスト宛先アドレスが上記受信デバイスの上記識別子と一致すると判断した場合、上記ＲＬＣ層に、上記ＭＡＣ  ＰＤＵに含まれる上記ＭＡＣ  ＳＤＵを送信するよう具体的に構成される、
項目１９に記載の受信デバイス。
（項目２２）
判断モジュールをさらに備え、
上記受信モジュールは、マルチキャスト送信方式で上記伝送デバイスにより送信された上記ＭＡＣ  ＰＤＵを受信するよう具体的に構成され、上記ＭＡＣ  ＰＤＵのパケットヘッダが、マルチキャスト・モード・インディケータ・ビットと、上記伝送デバイスの識別子と、マルチキャスト宛先アドレスとを保持し、
上記判断モジュールは、上記マルチキャスト宛先アドレスが上記受信デバイスのグループ識別子と一致するか否かを判断するよう構成され、
上記送信モジュールは、上記判断モジュールが、上記マルチキャスト宛先アドレスが上記受信デバイスの上記グループ識別子と一致すると判断した場合、上記ＲＬＣ層に、上記ＭＡＣ  ＰＤＵに含まれる上記ＭＡＣ  ＳＤＵを送信するよう具体的に構成される、
項目１９に記載の受信デバイス。
（項目２３）
ソーティングモジュールをさらに備え、
上記受信モジュールは、上記ＭＡＣ  ＰＤＵを受信するよう具体的に構成され、セグメンテーションビット、シリアルナンバービット、又はコンカチネーションビットが上記ＭＡＣ  ＰＤＵの上記パケットヘッダに追加され、上記セグメンテーションビットは、上記ＭＡＣ  ＳＤＵがＲＬＣ  ＰＤＵをセグメント化することによって取得されたことを示し、上記シリアルナンバービットは、上記ＲＬＣ  ＰＤＵにおける上記ＭＡＣ  ＳＤＵの位置を示し、上記コンカチネーションビットは、上記ＭＡＣ  ＳＤＵの後に別のＭＡＣ  ＳＤＵがまだ存在しているか否かを示し、
上記ソーティングモジュールは、同じＲＬＣ  ＰＤＵをセグメント化することによって取得された、複数のＭＡＣ  ＰＤＵに含まれる複数のＭＡＣ  ＳＤＵを上記シリアルナンバービットに従ってソーティングするよう構成され、
上記送信モジュールは、上記ＲＬＣ層に、上記ソーティングモジュールによりソーティングされた上記複数のＭＡＣ  ＳＤＵを送信するよう具体的に構成される、
項目１９から２２の何れか一項に記載の受信デバイス。
（項目２４）
上記送信モジュールは、上記ＭＡＣ  ＰＤＵの上記パケットヘッダにおいて保持される論理チャンネル識別子に従って、上記論理チャンネル識別子に対応し、かつ、上記ＲＬＣ層に存在する論理チャンネルに、上記ＭＡＣ  ＰＤＵに含まれる上記ＭＡＣ  ＳＤＵを送信するよう具体的に構成される、項目１９から２３の何れか一項に記載の受信デバイス。
（項目２５）
プロセッサとメモリとを備える伝送デバイスであって、上記メモリは、実行命令を格納し、上記伝送デバイスが動作している場合、上記プロセッサは、上記メモリと通信し、上記プロセッサは、上記伝送デバイスに項目１から６の何れか一項に記載の方法を実行させるべく、上記実行命令を実行する、伝送デバイス。
（項目２６）
プロセッサとメモリとを備える受信デバイスであって、上記メモリは、実行命令を格納し、上記受信デバイスが動作している場合、上記プロセッサは上記メモリと通信し、上記プロセッサは、上記受信デバイスに項目７から１２の何れか一項に記載の方法を実行させるべく、上記実行命令を実行する、受信デバイス。
【国際調査報告】
2017515382.tif 000027
2017515382.tif 000028
2017515382.tif 000029
2017515382.tif 000030
2017515382.tif 000031